(57)【特許請求の範囲】
【請求項１】
送信の対象とするデータのビットクロックの任意の整数倍の伝送速度を有する送信クロックに基づき、周波数帯域が拡散された送信用の非周期的コードを生成する送信用コード発生器と、
該データの各ビットに該送信用の非周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の非周期的コードと同等の受信用の非周期的コードを生成する受信用コード発生器と、
前記の受信したコード変調信号に該受信用の非周期的コードを乗算して前記データを復元するための受信用乗算器とを備えることを特徴とするデータ通信システム。
【請求項２】
送信の対象とするデータのビットクロックよりも速い伝送速度を有する送信クロックに基づき、周波数帯域が拡散された送信用の非周期的コードを生成する送信用コード発生器と、
該データの複数ビット毎に該送信用の非周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の周期的コードと同等の受信用の非周期的コードを生成する受信用コード発生器と、
前記の受信したコード変調信号に該受信用の非周期的コードを乗算して前記データを復元するための受信用乗算器とを備えることを特徴とするデータ通信システム。
【請求項３】
送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数種のビットクロック、および前記複数種の送信クロックの同期をとることなく、前記複数種のコード変調信号を重ねて送信することを特徴とするデータ通信システム。
【請求項４】
送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数種のビットクロック、および前記複数種の送信クロックの少なくとも一方の各々の位相を他の位相から所定の値だけずらすことにより、前記複数種のコード変調信号を重ねて送信することを特徴とするデータ通信システム。
【請求項５】
ネットワークを構成する複数の分岐点において、
送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とが設けられ、
前記複数の分岐点に対し前記複数種の送信用の周期的コードをそれぞれ割り当て、該分岐点毎に対応する前記周期的コードの内容および位相を予め変えておき、
送信中または受信中の第１のビット長の周期的コードが、同時に送信中または受信中の第１のビット長より長い第２のビット長の周期的コードの一部分と一致しないように選定されることを特徴とするデータ通信システム。
【請求項６】
ネットワークを構成する複数の分岐点において、
送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の受信用の非周期的コードを生成する受信用コード発生器と、
前記の受信した複数種のコード変調信号の各々に該受信用の周期的コードを乗算して前記複数種のデータの各々を復元するための受信用乗算器とが設けられ、
前記複数の分岐点に対し前記複数種の送信用の周期的コードをそれぞれ割り当て、該分岐点毎に対応する前記周期的コードの内容および位相を予め変えておき、
送信中または受信中の第１のビット長の周期的コードが、同時に送信中または受信中の第１のビット長より長い第２のビット長の周期的コードの一部分と一致しないように選定されることを特徴とするデータ通信システム。
【請求項７】
ネットワークを構成する複数の分岐点において、
送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とが設けられ、
前記複数の分岐点に対し前記複数種の送信用の非周期的コードをそれぞれ割り当て、該分岐点毎に対応する前記非周期的コードの内容および位相を予め変えておくことを特徴とするデータ通信システム。
【請求項８】
ネットワークを構成する複数の分岐点において、
送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とが設けられ、
前記複数の分岐点中の全ての分岐点または多くの分岐点を通過する共通の周期的コードを割り当て、
送信中または受信中の第１のビット長の周期的コードが、同時に送信中または受信中の第１のビット長より長い第２のビット長の周期的コードの一部分と一致しないように選定されることを特徴とするデータ通信システム。
【請求項９】
ネットワークを構成する複数の分岐点において、
送信の対象とする送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とが設けられ、
前記複数の分岐点中の全ての分岐点または多くの分岐点を通過する共通の周期的コードを割り当て、
送信中または受信中の第１のビット長の周期的コードが、同時に送信中または受信中の第１のビット長より長い第２のビット長の周期的コードの一部分と一致しないように選定されることを特徴とするデータ通信システム。
【請求項１０】
ネットワークを構成する複数の分岐点において、
送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とが設けられ、
前記複数の分岐点中の全ての分岐点または多くの分岐点を通過する共通の非周期的コードを割り当てることを特徴とするデータ通信システム。
【請求項１１】
ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点に対し前記複数種の送信用の周期的コードをそれぞれ割り当て、該分岐点毎に対応する前記周期的コードの内容および位相を予め変えておき、
前記中央制御部から目的のアドレスを前記複数の分岐点に送付し、該アドレスと一致したアドレスを有する前記周期的コードが割り当てられた分岐点に接続されるデータ通信部によって、前記データの送信および受信が行われ、
送信中または受信中の第１のビット長の周期的コードが、同時に送信中または受信中の第１のビット長より長い第２のビット長の周期的コードの一部分と一致しないように選定されることを特徴とするデータ通信システム。
【請求項１２】
ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点に対し前記複数種の送信用の周期的コードをそれぞれ割り当て、該分岐点毎に対応する前記周期的コードの内容および位相を予め変えておき、
前記中央制御部から目的のアドレスを前記複数の分岐点に送付し、該アドレスと一致したアドレスを有する前記周期的コードが割り当てられた分岐点に接続されるデータ通信部によって、前記データの送信および受信が行われ、
送信中または受信中の第１のビット長の周期的コードが、同時に送信中または受信中の第１のビット長より長い第２のビット長の周期的コードの一部分と一致しないように選定されることを特徴とするデータ通信システム。
【請求項１３】
ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数の分岐点に対し前記複数種の送信用の非周期的コードをそれぞれ割り当て、該分岐点毎に対応する前記非周期的コードの内容および位相を予め変えておき、
前記中央制御部から目的のアドレスを前記複数の分岐点に送付し、該アドレスと一致したアドレスを有する前記非周期的コードが割り当てられた分岐点に接続されるデータ通信部によって、前記データの送信および受信が行われることを特徴とするデータ通信システム。
【請求項１４】
ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点中の全ての分岐点または多くの分岐点を通過する共通の周期的コードを割り当て、
前記中央制御部から目的のアドレスを前記複数の分岐点に送付し、該アドレスと一致したアドレスを有する前記共通の周期的コードが割り当てられた分岐点に接続されるデータ通信部によって、前記データの送信および受信が行われ、
送信中または受信中の第１のビット長の周期的コードが、同時に送信中または受信中の第１のビット長より長い第２のビット長の周期的コードの一部分と一致しないように選定されることを特徴とするデータ通信システム。
【請求項１５】
ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点中の全ての分岐点または多くの分岐点を通過する共通の周期的コードを割り当て、
前記中央制御部から目的のアドレスを前記複数の分岐点に送付し、該アドレスと一致したアドレスを有する前記共通の周期的コードが割り当てられた分岐点に接続されるデータ通信部によって、前記データの送信および受信が行われ、
送信中または受信中の第１のビット長の周期的コードが、同時に送信中または受信中の第１のビット長より長い第２のビット長の周期的コードの一部分と一致しないように選定されることを特徴とするデータ通信システム。
【請求項１６】
ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数の分岐点中の全ての分岐点または多くの分岐点を通過する共通の非周期的コードを割り当て、
前記中央制御部から目的のアドレスを前記複数の分岐点に送付し、該アドレスと一致したアドレスを有する前記非周期的コードが割り当てられた分岐点に接続されるデータ通信部によって、前記データの送信および受信が行われることを特徴とするデータ通信システム。
【発明の詳細な説明】
【０００１】
【発明の属する技術分野】
本発明は、光を利用した光通信等の分野において、ディジタル形式のデータの各ビットに対しＣＤＭＡ（Code Division Multiple Access ：符号分割多元接続）技術によるコード変調を行って上記データの送信および受信を実行するデータ通信システムに関する。
【０００２】
送信の対象となるディジタル形式のデータ列の１ビット毎に擬似ランダム信号等の充分に長い周期を持った拡散コード（すなわち、分散コード）を乗じた信号によって中間周波信号（ＩＦ信号）もしくは搬送波信号（キャリア）を変調する通信方式は、ＣＤＭＡによる直接スペクトル拡散方式として無線通信等の分野で広く使用されている。この直接スペクトル拡散方式においては、一般に、送信側で上記拡散コードを用いて元の伝送データにＰＳＫ（Phase Shift Keying）等の変調を行うことにより上記伝送データを電波として送信し、受信側でＰＳＫ復調を行い上記伝送データの各信号（各ビット）の送信に使った拡散コードと同期および相関をとることにより元の伝送データを得るようにしている。
【０００３】
本発明は、光を利用した光通信等においては無線通信に比べて占有帯域幅をはるかに自由に設定することができることを利用し、上記のＣＤＭＡの場合と同様のコード拡散技術を多角的に応用することでマルチメディア、オンデマンド（On-demand ）通信およびマルチプロトコル通信におけるさまざまな問題点に対処するための方策について言及するものである。
【０００４】
【従来の技術】
図１７は、光を利用した従来のデータ通信システムの概略的構成を示す回路ブロック図である。ただし、ここでは、光ファイバによる光通信を行ってデータを伝送するためのデータ通信システムの従来例として、複数本の光ファイバから構成される種々の階層のリンク（例えば、低速リンク、中速リンクおよび高速リンク）を中央交換局から分岐した構成の電話交換システムを例示することとする。
【０００５】
図１７に示す電話交換システムにおいては、複数の階層のリンクに接続された全ての通信装置を統括的に制御するための一つの中央交換局９０が、上記電話交換システムのセンタの部分に設けられている。この中央交換局９０には、比較的高速にてシリアル形式のデータを伝送するための複数の中速リンクＭＬや高速リンクＨＬが上記中央交換局９０から分岐した形態にて接続されている。さらに、複数の他の階層のリンク、例えば、低速リンクＬＬが、上記の中速リンクＭＬや高速リンクＨＬの各々から分岐している。各々の低速リンクＬＬには、個々の加入者用の電話機等の通信機器を備えた複数の加入者用通信装置（例えば、第１および第２の加入者用通信装置９２−１、９２−２）が接続されている。
【０００６】
このような構成の電話交換システムにおいては、一般に、ある階層のリンクにおけるシリアル形式のデータのビット列の長さと、他の階層のリンクにおけるシリアル形式のデータのビット列の長さとは異なっている。このため、ある階層のリンク（例えば、中速リンクＭＬ）から他の階層のリンク（例えば、低速リンクＬＬ）へデータを転送する場合、ある階層のリンクと他の階層のリンクとの間に位置する分岐点の各々にて、ビット列の単位、すなわち、パケット単位でデータの交換を行うことが必要であった。例えば、図１７に示す電話交換システムでは、上記の各分岐点の位置に、異なる階層のリンク間でデータのパケットの長さを調整するための第１および第２のＡＴＭ（Asynchronous Transfer Mode：非同期転送モード）スイッチ９１−１、９１−２等の複数のＡＴＭスイッチからなるＡＴＭ交換機が設けるようにしている。
【０００７】
【発明が解決しようとする課題】
上記のとおり、光を利用した従来のデータ通信システム、例えば、高速リンクから低速リンクまでの種々の階層のリンクが分岐した構成の電話交換システムにおいては、異なる階層のリンク間の各分岐点の位置に、これらの異なる階層のリンク間でデータのパケットの長さを調整するための複数のスイッチからなるＡＴＭ交換機を設けることが必要であった。
【０００８】
これらのＡＴＭ交換機の内部では、高速リンクから構成される高速通信用のネットワーク（通信網）や低速リンクから構成される低速通信用のネットワーク等の通信タイプ毎にデータのパケットの長さが異なるために、上記通信タイプ別にデータ転送の優先度を定めたり、上記データに対する一定の実時間（リアル・タイム）性を保証したりする等の複雑な管理を行わなければならず、このような管理機能を遂行するための複数のスイッチを含む回路構成や同スイッチの制御手順も複雑になるという問題が生じてくる。さらに、ＡＴＭ交換機内でデータのパケットの長さを一度調整した後は、データの通信速度が変化した場合でもデータのパケットの長さを変更することが難しいので、電話交換システム内のさまざまな通信機器からの通信要求に対し柔軟な対応をとることが困難であった。
【０００９】
特に、データを受信すべき地点が遠隔地にある場合、その地点までデータを伝送するために複雑な回路構成のＡＴＭ交換機を数多く使用することが必要になってくる。それゆえに、従来の電話交換システムにおいては、ＡＴＭ交換機の占有面積が大きくなるという問題も生じてくる。
また一方で、実時間性を保証するという観点からすれば、ＡＴＭ交換機の内部に一時的に送信データを保持してパケットの衝突を防止するために高速の記憶装置を設けることが必要であり、ＡＴＭ交換機の回路構成がますます複雑になる。さらに、遠隔地の地点までデータが到達するまで多数のＡＴＭ交換機にて度重なり待たされるパケットにおいては、不定時間のデータ遅延を回避することは難しくなる。
【００１０】
本発明は上記問題点に鑑みてなされたものであり、従来よりも簡単な回路構成でもって高速通信用のネットワークや低速通信用のネットワーク等の通信タイプ毎にデータのパケットの長さを調整したり、さまざまな通信機器からの通信速度の変更要求等に対しデータのパケットの長さを変更して柔軟な対応をとったりすることが容易に行えるデータ通信システムを提供することを目的とするものである。
【００１１】
【課題を解決するための手段】
図１は、本発明の原理構成を示すブロック図である。ただし、ここでは、本発明の原理を説明し易くするために、データ通信システム５の構成を簡略化して示す。
上記問題点を解決するために、本発明のデータ通信システム５は、図１に示すように、送信の対象とするデータのビットクロックよりも速い伝送速度を有する送信クロックに基づき第１の変調コードを生成し、上記データの各ビットに上記第１の変調コードを乗算してコード変調信号Ｓｍを生成するコード変調手段１と、このコード変調手段１より送信されるコード変調信号Ｓｍを受信し、このようにして受信したコード変調信号Ｓｍから上記ビットクロックと同じ伝送速度を有する受信クロックを抽出するクロック抽出部２と、このクロック抽出部２から抽出された受信クロックに基づき上記第１の変調コードと同等の第２の変調コードを生成し、上記の受信したコード変調信号Ｓｍに上記第２の変調コードを乗算して上記データを復元するコード復調手段３とを具備する。
【００１４】
さらに、本発明の第１の実施態様において、本発明のデータ通信システムは、送信の対象とするデータのビットクロックの任意の整数倍の伝送速度を有する送信クロックに基づき、周波数帯域が拡散された疑似ランダムパルスからなる送信用の周期的コードを生成する送信用疑似ランダムパルス発生器と、上記データの各ビットに上記送信用の周期的コードを乗算してコード変調信号を生成するための送信用乗算器と、上記コード変調信号を受信し、上記の受信したコード変調信号から上記ビットクロックと同じ伝送速度を有する受信クロックを抽出する受信クロック抽出回路部と、この受信クロック抽出回路部から抽出される受信クロックに基づき、上記送信用の周期的コードと同等の疑似ランダムパルスからなる受信用の周期的コードを生成する受信用疑似ランダムパルス発生器と、上記の受信したコード変調信号に上記受信用の周期的コードを乗算して上記データを復元するための受信用乗算器と、上記の復元されたデータと上記受信用の周期的コードとの同期化を行い、上記データとのコード同期がとれた受信データを出力するための受信データ同期回路部とを具備する。
【００１５】
さらに、本発明の第２の実施態様において、本発明のデータ通信システムは、送信の対象とするデータのビットクロックよりも速い伝送速度を有する送信クロックに基づき、周波数帯域が拡散された疑似ランダムパルスからなる送信用の周期的コードを生成する送信用疑似ランダムパルス発生器と、上記データの各ビットに上記送信用の周期的コードを乗算してコード変調信号を生成するための送信用乗算器と、上記コード変調信号を受信し、上記の受信したコード変調信号から上記ビットクロックと同じ伝送速度を有する受信クロックを抽出する受信クロック抽出回路部と、この受信クロック抽出回路部から抽出される受信クロックに基づき、上記送信用の周期的コードと同等の疑似ランダムパルスからなる受信用の周期的コードを生成する受信用疑似ランダムパルス発生器と、上記の受信したコード変調信号に上記受信用の周期的コードを乗算して上記データを復元するための受信用乗算器と、上記の復元されたデータと上記受信用の周期的コードとの同期化を行い、上記データとのコード同期がとれた受信データを出力するための受信データ同期回路部とを具備する。
【００１６】
さらに、本発明の第３の実施態様において、本発明のデータ通信システムは、送信の対象とするデータのビットクロックよりも速い伝送速度を有する送信クロックに基づき、周波数帯域が拡散された疑似ランダムパルスからなる送信用の周期的コードを生成する送信用疑似ランダムパルス発生器と、上記データの複数ビット毎に上記送信用の周期的コードを乗算してコード変調信号を生成するための送信用乗算器と、上記コード変調信号を受信し、上記の受信したコード変調信号から上記ビットクロックと同じ伝送速度を有する受信クロックを抽出する受信クロック抽出回路部と、この受信クロック抽出回路部から抽出される受信クロックに基づき、上記送信用の周期的コードと同等の疑似ランダムパルスからなる受信用の周期的コードを生成する受信用疑似ランダムパルス発生器と、上記の受信したコード変調信号に上記受信用の周期的コードを乗算して上記データを復元するための受信用乗算器と、上記の復元されたデータと上記受信用の周期的コードとの同期化を行い、上記データとのコード同期がとれた受信データを出力するための受信データ同期回路部とを具備する。
【００１７】
さらに、本発明の第４の実施態様において、本発明のデータ通信システムは、送信の対象とするデータのビットクロックの任意の整数倍の伝送速度を有する送信クロックに基づき、周波数帯域が拡散された送信用の非周期的コードを生成する送信用コード発生器と、上記データの各ビットに上記送信用の非周期的コードを乗算してコード変調信号を生成するための送信用乗算器と、上記コード変調信号を受信し、上記の受信したコード変調信号から上記ビットクロックと同じ伝送速度を有する受信クロックを抽出する受信クロック抽出回路部と、この受信クロック抽出回路部から抽出される受信クロックに基づき、上記送信用の非周期的コードと同等の受信用の非周期的コードを生成する受信用コード発生器と、上記の受信したコード変調信号に上記受信用の非周期的コードを乗算して上記データを復元するための受信用乗算器と、上記の復元されたデータと上記受信用の非周期的コードとの同期化を行い、上記データとのコード同期がとれた受信データを出力するための受信データ同期回路部とを具備する。
【００１８】
また一方で、本発明の第４の他の実施態様において、本発明のデータ通信システムは、送信の対象とするデータのビットクロックよりも速い伝送速度を有する送信クロックに基づき、周波数帯域が拡散された送信用の非周期的コードを生成する送信用コード発生器と、上記データの複数ビット毎に上記送信用の非周期的コードを乗算してコード変調信号を生成するための送信用乗算器と、上記コード変調信号を受信し、上記の受信したコード変調信号から上記ビットクロックと同じ伝送速度を有する受信クロックを抽出する受信クロック抽出回路部と、上記受信クロック抽出回路部から抽出される受信クロックに基づき、上記送信用の周期的コードと同等の受信用の非周期的コードを生成する受信用コード発生器と、上記の受信したコード変調信号に上記受信用の非周期的コードを乗算して上記データを復元するための受信用乗算器と、上記の復元されたデータと上記受信用の非周期的コードとの同期化を行い、上記データとのコード同期がとれた受信データを出力するための受信データ同期回路部とを具備する。
【００１９】
さらに、本発明の第５の実施態様において、本発明のデータ通信システムは、送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、上記複数種のデータの各ビットに上記複数種の送信用の周期的コードをそれぞれ乗算して複数種のコード変調信号を生成するための複数種の送信用乗算器と、上記複数種のコード変調信号を受信し、上記の受信した複数種のコード変調信号の各々から、上記複数種のビットクロックの各々と同じ伝送速度を有する受信クロックを抽出する受信クロック抽出回路部と、この受信クロック抽出回路部から抽出される受信クロックに基づき、上記複数種の送信用の各々の周期的コードと同等の疑似ランダムパルスからなる受信用の周期的コードを生成する受信用疑似ランダムパルス発生器と、上記の受信した複数種のコード変調信号の各々に上記受信用の周期的コードを乗算して上記複数種のデータの各々を復元するための受信用乗算器と、上記の復元された上記複数種のデータの各々と上記受信用の周期的コードとの同期化を行い、上記複数種のデータの各々とのコード同期がとれた受信データを出力するための受信データ同期回路部とを具備し、上記複数種のビットクロック、および上記複数種の送信クロックの同期をとることなく、上記複数種のコード変調信号を重ねて送信するように構成される。
【００２０】
さらにまた、上記の第５の実施態様によるデータ通信システムは、複数種の送信クロックの伝送速度が、送信の対象とするデータのビットクロックよりも速くかつ上記ビットクロックの任意の整数倍の伝送速度を有していない場合にも適用される。
さらにまた、上記の第５の実施態様によるデータ通信システムは、上記の周期的コードの代わりに非周期的コードを使用して複数種のデータの変調や復調を行う場合にも適用される。
【００２１】
さらに、本発明の第６の実施態様において、本発明のデータ通信システムは、送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、上記複数種のデータの各ビットに上記複数種の送信用の周期的コードをそれぞれ乗算して複数種のコード変調信号を生成するための複数種の送信用乗算器と、上記複数種のコード変調信号を受信し、上記の受信した複数種のコード変調信号の各々から、上記複数種のビットクロックの各々と同じ伝送速度を有する受信クロックを抽出する受信クロック抽出回路部と、この受信クロック抽出回路部から抽出される受信クロックに基づき、上記複数種の送信用の各々の周期的コードと同等の疑似ランダムパルスからなる受信用の周期的コードを生成する受信用疑似ランダムパルス発生器と、上記の受信した複数種のコード変調信号の各々に上記受信用の周期的コードを乗算して上記複数種のデータの各々を復元するための受信用乗算器と、上記の復元された複数種のデータの各々と上記受信用の周期的コードとの同期化を行い、上記複数種のデータの各々とのコード同期がとれた受信データを出力するための受信データ同期回路部とを具備し、上記複数種のビットクロック、および上記複数種の送信クロックの少なくとも一方の各々の位相を他の位相から所定の値だけずらすことにより、上記複数種のコード変調信号を重ねて送信するように構成される。
【００２２】
さらにまた、上記の第６の実施態様によるデータ通信システムは、複数種の送信クロックの伝送速度が、送信の対象とするデータのビットクロックよりも速くかつ上記ビットクロックの任意の整数倍の伝送速度を有していない場合にも適用される。
さらにまた、上記の第６の実施態様によるデータ通信システムは、上記の周期的コードの代わりに非周期的コードを使用して複数種のデータの変調や復調を行う場合にも適用される。
【００２５】
さらに、本発明の第８の実施態様によるデータ通信システムでは、ネットワークを構成する複数の分岐点において、送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、上記複数種のデータの各ビットに上記複数種の送信用の周期的コードをそれぞれ乗算して複数種のコード変調信号を生成するための複数種の送信用乗算器と、上記複数種のコード変調信号を受信し、上記の受信した複数種のコード変調信号の各々から、上記複数種のビットクロックの各々と同じ伝送速度を有する受信クロックを抽出する受信クロック抽出回路部と、この受信クロック抽出回路部から抽出される受信クロックに基づき、上記複数種の送信用の各々の周期的コードと同等の疑似ランダムパルスからなる受信用の周期的コードを生成する受信用疑似ランダムパルス発生器と、上記の受信した複数種のコード変調信号の各々に上記受信用の周期的コードを乗算して上記複数種のデータの各々を復元するための受信用乗算器と、上記の復元された複数種のデータの各々と上記受信用の周期的コードとの同期化を行い、上記複数種のデータの各々とのコード同期がとれた受信データを出力するための受信データ同期回路部とが設けられており、上記複数の分岐点に対し上記複数種の送信用の周期的コードをそれぞれ割り当て、上記分岐点毎に対応する上記周期的コードの内容および位相を予め変えておくように構成される。
【００２６】
さらにまた、上記の第８の実施態様によるデータ通信システムは、複数種の送信クロックの伝送速度が、送信の対象とするデータのビットクロックよりも速くかつ上記ビットクロックの任意の整数倍の伝送速度を有していない場合にも適用される。
さらにまた、上記の第８の実施態様によるデータ通信システムは、上記の周期的コードの代わりに非周期的コードを使用して複数種のデータの変調や復調を行う場合にも適用される。
【００２７】
さらに、本発明の第９の実施態様によるデータ通信システムでは、ネットワークを構成する複数の分岐点において、送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、上記複数種のデータの各ビットに上記複数種の送信用の周期的コードをそれぞれ乗算して複数種のコード変調信号を生成するための複数種の送信用乗算器と、上記複数種のコード変調信号を受信し、上記の受信した複数種のコード変調信号の各々から、上記複数種のビットクロックの各々と同じ伝送速度を有する受信クロックを抽出する受信クロック抽出回路部と、この受信クロック抽出回路部から抽出される受信クロックに基づき、上記複数種の送信用の各々の周期的コードと同等の疑似ランダムパルスからなる受信用の周期的コードを生成する受信用疑似ランダムパルス発生器と、上記の受信した複数種のコード変調信号の各々に上記受信用の周期的コードを乗算して上記複数種のデータの各々を復元するための受信用乗算器と、上記の復元された複数種のデータの各々と上記受信用の周期的コードとの同期化を行い、上記複数種のデータの各々とのコード同期がとれた受信データを出力するための受信データ同期回路部とが設けられており、上記複数の分岐点中の全ての分岐点または多くの分岐点を通過する共通の周期的コードを割り当てるように構成される。
【００２８】
さらにまた、上記の第９の実施態様によるデータ通信システムは、複数種の送信クロックの伝送速度が、送信の対象とするデータのビットクロックよりも速くかつ上記ビットクロックの任意の整数倍の伝送速度を有していない場合にも適用される。
さらにまた、上記の第９の実施態様によるデータ通信システムは、上記の周期的コードの代わりに非周期的コードを使用して複数種のデータの変調や復調を行う場合にも適用される。
【００２９】
さらに、本発明の第１０の実施態様によるデータ通信システムは、ネットワークを構成する複数の分岐点に接続され、かつ、相互に複数種のデータの送信および受信を行う複数のデータ通信部と、上記複数のデータ通信局の各々を制御する一つの中央制御部とを有している。
【００３０】
上記の複数のデータ通信部の各々は、送信の対象とする上記複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、上記複数種のデータの各ビットに上記複数種の送信用の周期的コードをそれぞれ乗算して複数種のコード変調信号を生成するための複数種の送信用乗算器と、上記複数種のコード変調信号を受信し、上記の受信した複数種のコード変調信号の各々から、上記複数種のビットクロックの各々と同じ伝送速度を有する受信クロックを抽出する受信クロック抽出回路部と、この受信クロック抽出回路部から抽出される受信クロックに基づき、上記複数種の送信用の各々の周期的コードと同等の疑似ランダムパルスからなる受信用の周期的コードを生成する受信用疑似ランダムパルス発生器と、上記の受信した複数種のコード変調信号の各々に上記受信用の周期的コードを乗算して上記複数種のデータの各々を復元するための受信用乗算器と、上記の復元された複数種のデータの各々と上記受信用の周期的コードとの同期化を行い、上記複数種のデータの各々とのコード同期がとれた受信データを出力するための受信データ同期回路部とを具備しており、上記複数の分岐点に対し上記複数種の送信用の周期的コードをそれぞれ割り当て、上記分岐点毎に対応する上記周期的コードの内容および位相を予め変えておき、上記中央制御部から目的のアドレスを上記複数の分岐点に送付し、上記アドレスと一致したアドレスを有する上記周期的コードが割り当てられた分岐点に接続されるデータ通信部によって、上記データの送信および受信が行われるようになっている。
【００３８】
さらにまた、上記の第１０の実施態様によるデータ通信システムは、複数種の送信クロックの伝送速度が、送信の対象とするデータのビットクロックよりも速くかつ上記ビットクロックの任意の整数倍の伝送速度を有していない場合にも適用される。
【００３９】
さらにまた、上記の第１０の実施態様によるデータ通信システムは、上記の周期的コードの代わりに非周期的コードを使用して複数種のデータの変調や復調を行う場合にも適用される。
さらに、本発明の第１０の他の実施態様によるデータ通信システムは、ネットワークを構成する複数の分岐点に接続され、かつ、相互に複数種のデータの送信および受信を行う複数のデータ通信部と、上記複数のデータ通信局の各々を制御する一つの中央制御部とを有している。
【００４０】
上記の複数のデータ通信部の各々は、送信の対象とする上記複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、上記複数種のデータの各ビットに上記複数種の送信用の周期的コードをそれぞれ乗算して複数種のコード変調信号を生成するための複数種の送信用乗算器と、上記複数種のコード変調信号を受信し、上記の受信した複数種のコード変調信号の各々から、上記複数種のビットクロックの各々と同じ伝送速度を有する受信クロックを抽出する受信クロック抽出回路部と、この受信クロック抽出回路部から抽出される受信クロックに基づき、上記複数種の送信用の各々の周期的コードと同等の疑似ランダムパルスからなる受信用の周期的コードを生成する受信用疑似ランダムパルス発生器と、上記の受信した複数種のコード変調信号の各々に上記受信用の周期的コードを乗算して上記複数種のデータの各々を復元するための受信用乗算器と、上記の復元された複数種のデータの各々と上記受信用の周期的コードとの同期化を行い、上記複数種のデータの各々とのコード同期がとれた受信データを出力するための受信データ同期回路部とを具備しており、上記複数の分岐点中の全ての分岐点または多くの分岐点を通過する共通の周期的コードを割り当て、上記中央制御部から目的のアドレスを上記複数の分岐点に送付し、上記アドレスと一致したアドレスを有する上記共通の周期的コードが割り当てられた分岐点に接続されるデータ通信部によって、上記データの送信および受信が行われるようになっている。
【００４１】
さらにまた、上記の第１０の他の実施態様によるデータ通信システムは、複数種の送信クロックの伝送速度が、送信の対象とするデータのビットクロックよりも速くかつ上記ビットクロックの任意の整数倍の伝送速度を有していない場合にも適用される。
さらにまた、上記の第１０の他の実施態様によるデータ通信システムは、上記の周期的コードの代わりに非周期的コードを使用して複数種のデータの変調や復調を行う場合にも適用される。
【００４２】
要約すれば、本発明のデータ通信システムでは、無線通信におけるＣＤＭＡ等によるスペクトル拡散方式と同様にコード変調方式を組み込んでおり、異なる通信速度を有するネットワーク間の分岐点や同ネットワークの末端部において変調コード（例えば、拡散コード）とデータ（例えば、コード変調信号）との相関をとることにより、通信速度の速いネットワーク（例えば、高速通信用のネットワーク）から通信速度の遅いネットワーク（例えば、低速通信用のネットワーク）への分岐や、末端部へのデータの選択と取り込みが可能になる。ある末端部より送信の対象となるデータは、変調コードを掛けることにより広帯域化され、他の末端部からのデータが存在する場合には、これらの他の末端部からのデータと共に通信速度の速いネットワークからの分岐点まで送られる。ここで、必要ならばさらに変調コードを掛けてデータを広帯域化することにより高速通信用のネットワークに送り出す。このような手法により、高速通信用のデータから低速通信用のデータまでのさまざまなデータが含まれるようなデータ通信をスムーズに行いながら、これらのさまざまなデータをデータ通信システム内で混在させることが可能になる。
【００４３】
さらに詳しく説明すると、本発明のデータ通信システムでは、ネットワークの少なくとも一部にて変調コードによる広帯域化と多重化を利用することによって、データが伝送される通信経路内のＡＴＭ交換機をできる限り少なくするか、または無くすることができる。
この場合、低速通信用のネットワークにおいては、同軸ケーブルや撚線対（Twisted Pair）を使用した電気通信網を設け、高速通信用のネットワークにおいては、光を利用した光通信網を使うこともある。一つの例として、ある室内を撚線対による低速電気通信網（低速通信用のネットワーク）とし、別の室内を拡散コード方式による低速または中速の光通信網（低速通信用または中速通信用のネットワーク）とし、屋内を同軸ケーブルによる中速通信網（中速通信用のネットワーク）とし、屋外を光ファイバによる高速通信網（高速通信用のネットワーク）とし、そして、基幹網としてさらに高速の光ファイバによる高速通信網（さらに高速通信用のネットワーク）とするような階層構造をとる。
【００４４】
このような階層構造を有するネットワークにおいて、拡散コード等の変調コードを利用した通信網とＡＴＭ交換機等を利用した通信網とが混在する場合について考察する。
第１に、上記ネットワークの末端部に近い低速通信網側でのみ拡散コード等の変調コードによるデータの多重化を行うときは、これらの多重化されたデータを一定の周波数の送信クロックに同期して伝送するのが便利である。この場合、上記データを高速通信用のＡＴＭ交換機を有するパケット通信網に上記データを乗せる所では、従来どおりアドレスおよび管理情報を含むヘッダを加えたパケットを作成するだけでよい。また一方で、高速通信用のパケット通信網から低速通信用の変調コードを含む通信網へ上記データを下ろす所では、一定の送信クロックで途切れなく低速通信網側に信号を送り出さなければならないので、通常はバッファメモリが必要になる。ただし、変調コードを含む低速通信網側で送信データのパケット通信への対応を行う場合にはこの限りではない。例えば、末端部や低速通信網の分岐点で上記データをパケットにより構成した後に、パケット単位でコード同期用のプリアンブルを先頭に付加して送る場合が考えられる。この場合、低速通信網では、パケット通信のためのオーバーヘッドを併せもつことになる。
【００４５】
第２に、高速通信網側でのみ変調コードによるデータの多重化を行うときは、高速通信網からＡＴＭ交換機を有するパケット通信網への分岐点にて拡散コード等の変調コードを利用したコード変調およびコード復調を行うようにしている。
これに対し、ネットワーク内の全ての部分が、拡散コード等の変調コードを利用した通信網のみで構成される場合、ネットワークの末端部にてコード変調およびコード復調を行うようにしている。さらに、比較的大きな規模のネットワークにおいては、高速通信網と低速通信網網の間でもコード変調およびコード復調を行うようにしている。
【００４６】
本発明のデータ通信システムにおいては、送信の対象とするデータがデータ通信部内のコード変調機等のコード変調手段に送られ、このコード変調手段によって、周波数帯域が拡散された拡散コード等の第１の変調コードと上記データとの積が算出される。すなわち、上記の送信の対象とするデータは、同データのビットクロックよりも速い伝送速度を有する送信クロックに基づき、ビット数倍分のビットレートを有する信号に変換され、コード変調信号として送信される。
【００４７】
さらに、このようにして送信されたコード変調信号は、他のデータ通信部から送信された信号と共に、コード復調機等のコード復調手段により受信される。こコード復調手段において、上記第１の変調コードと同等の第２の変調コードと同期を保ちながら、同第２の変調コードと上記の受信したコード変調信号との積が算出され、上記データが容易に復元される。
【００４８】
上記のように、本発明のデータ通信システムによれば、拡散コード等の変調コードを利用したコード変調を行ってネットワーク内のデータ通信を統一的に管理することができるので、複数のＡＴＭスイッチの複雑な制御を必要とするＡＴＭ交換機をできる限り少なくするか、または無くすることが可能になり、従来よりも簡単な回路構成でもって高速通信用のネットワークや低速通信用のネットワーク等の通信タイプ毎にデータのパケットの長さを調整したり、データの通信速度の変更要求等に対しデータのパケットの長さを変更したりすることが容易に行えるようになる。
【００４９】
【発明の実施の形態】
以下、図２〜図１６を参照しながら、本発明の好ましい実施の形態（以下、実施例と称する）を説明する。
図２は、本発明の第１の実施例の構成を示す回路ブロック図である。ただし、ここでは、データ通信システム内の本発明に関係する部分を重点的に示すこととする。なお、これ以降、前述した構成要素と同様のものについては、同一の参照番号を付して表すこととする。
【００５０】
前述の図１の原理図に示したように、本発明の一構成要件であるコード変調手段１は、第１の変調コードとして、送信の対象とするデータのビットクロックよりも速い伝送速度を有する送信クロックに基づき第１の拡散コードを生成する第１の拡散コード生成部１０と、上記データの各ビットに上記第１の拡散コードを乗算して上記データの周波数スペクトラム拡散を行うための第１の乗算部１１とを備えている。
【００５１】
さらに、前述の図１の原理図に示したように、本発明の一構成要件であるコード復調手段３は、上記第１の変調コードと同等の第２の変調コードとして、クロック抽出部２から抽出された受信クロックに基づき上記第１の拡散コードと同等の第２の拡散コードを生成する第２の拡散コード生成部３０と、上記の受信したコード変調信号Ｓｍに上記第２の拡散コードを乗算して上記データを復元するための第２の乗算部３１とを備えている。
【００５２】
図２に示す第１の実施例においては、送信の対象とするデータＤＡＴＡを送信する側に配置されるコード変調機（コード変調手段）等の送信部は、送信の対象とするデータのビットクロックＣＬＫの整数倍（例えば、Ｎ倍：Ｎは任意の正の整数）の伝送速度を有する送信クロック（すなわち、ビットクロックＣＬＫのＮ倍の周波数を有する送信クロック）に基づき、周波数帯域が拡散された疑似ランダムパルスからなる送信用の周期的コードを生成する送信用疑似ランダムパルス発生器（疑似ランダムパルス発生器は、通常、ＰＲＰＧと略記される）１２と、上記データの各ビットに上記送信用の周期的コードを乗算してコード変調信号Ｓｍを生成するための送信用乗算器１３とを備えている。
【００５３】
この場合、送信の対象とするデータＤＡＴＡは、Ｄ型フリップフロップ（Ｄ−ＦＦ）等からなるデータ保持部６により一時的に保持される。また一方で、１／Ｎ分周部７において、データＤＡＴＡのビットクロックＣＬＫのＮ倍の伝送速度を有する送信クロックが生成される。さらに、データ保持部６に保持されたデータＤＡＴＡは、この送信クロックに基づきＮ倍の伝送速度にて送信用乗算器１３に入力される。この送信用乗算器１３においては、入力されたデータの各ビットと上記送信用の周期的コードとの積をとることによりコード変調信号Ｓｍが生成される。
【００５４】
好ましくは、上記の送信用疑似ランダムパルス発生器１２として、一般に知られているような帰還経路を持つシフトレジスタにて構成されるＭ系列擬似ランダムパターン発生器や、複数のＭ系列擬似ランダムパターン発生器を組み合わせたＧＯＬＤ符合発生器を使用することができる。
さらに、図２に示す第１の実施例において、コード変調信号Ｓｍを受信する側に配置されるコード復調機（コード復調手段）等の受信部は、受信したコード変調信号Ｓｍから上記ビットクロックＣＬＫと同じ伝送速度を有する受信クロックを抽出する受信クロック抽出回路部２０と、この受信クロック抽出回路部２０から抽出される受信クロックに基づき、上記送信用の周期的コードと同等の疑似ランダムパルスからなる受信用の周期的コードを生成する受信用疑似ランダムパルス発生器３２と、上記の受信したコード変調信号Ｓｍに上記受信用の周期的コードを乗算して上記データを復元するための受信用乗算器３３とを備えている。
【００５５】
好ましくは、本発明の一構成要件である受信データ同期部４（図１）として、受信用乗算器３３により復元されたデータと上記受信用の周期的コードとの同期化を行い、上記データとのコード同期がとれた受信データＲ−ＤＡＴＡを出力するための受信データ同期回路部４０が設けられている。
上記受信用疑似ランダムパルス発生器３２においては、受信クロック抽出回路部２０から出力された受信クロックに基づき、送信用の周期的コードと同等の疑似ランダムパルスからなる受信用の周期的コードが生成される。また一方で、コード復調機により受信したコード変調信号Ｓｍは、受信用乗算器３３に入力される。この受信用乗算器３３によりコード変調信号Ｓｍと上記受信用の周期的コードとの積をとることによってデータを復元すると共に、受信データ同期回路部４０により復元後のデータと上記受信用の周期的コードとの同期化を行い、元の送信時のデータＤＡＴＡと同等の受信データＲ−ＤＡＴＡを出力することが可能になる。
【００５６】
図３は、本発明の第２の実施例の構成を示す回路ブロック図である。ここでも、データ通信システム内の本発明に関係する部分を重点的に示すこととする。
図３に示す第２の実施例は、送信用の周期的コードを生成するための送信クロックの周波数が、送信の対象とするデータＤＡＴＡのビットクロックＣＬＫのビットレートを表す周波数の整数倍とはなっていない場合のデータ通信システムの構成を示すものである。
【００５７】
さらに詳しく説明すると、図３において、送信の対象とするデータＤＡＴＡを送信する側に配置されるコード変調機等の送信部は、上記データＤＡＴＡのビットクロックＣＬＫよりも速い伝送速度を有する送信クロック（ただし、データＤＡＴＡのビットクロックＣＬＫの伝送速度と整数倍の関係にない）に基づき、周波数帯域が拡散された疑似ランダムパルスからなる送信用の周期的コードを生成する送信用疑似ランダムパルス発生器１２と、上記データの各ビットに上記送信用の周期的コードを乗算してコード変調信号を生成するための送信用乗算器１３とを備えている。
【００５８】
ただし、上記第２の実施例では、前述の第１の実施例の場合と異なり、送信の対象とするデータＤＡＴＡは、送信用乗算器１３に直接入力される。さらに、データＤＡＴＡのビットクロックＣＬＫに対し１／Ｎ分周を行うための分周回路も設けられていない。ここでは、コード変調を行っても充分きれいな波形が維持されるようなＳＮ比の良好なデータがコード変調機に入力されることを前提としている。
【００５９】
上記第２の実施例におけるコード復調機等の受信部の構成は、前述の第１の実施例の構成と同じなので、その詳細な説明は省略する。
図４は、本発明の第３の実施例の構成を示す回路ブロック図である。ここでも、データ通信システム内の本発明に関係する部分を重点的に示すこととする。
図４に示す第３の実施例は、送信用の周期的コードを生成するための送信クロックの周波数が、送信の対象とするデータＤＡＴＡのビットクロックＣＬＫの周波数の整数倍（例えば、Ｎ倍）になっていると共に、拡散コードの一周期より短い時間（例えば、１／Ｍ周期：Ｍは任意の正の整数）でデータＤＡＴＡが変化する場合のデータ通信システムの構成を示すものである。
【００６０】
さらに詳しく説明すると、図４において、送信の対象とするデータＤＡＴＡを送信する側に配置されるコード変調機等の送信部は、上記データＤＡＴＡのビットクロックＣＬＫよりも速い伝送速度を有する送信クロックに基づき、周波数帯域が拡散された疑似ランダムパルスからなる送信用の周期的コードを生成する送信用疑似ランダムパルス発生器１２と、上記データの複数ビット毎に上記送信用の周期的コードを乗算してコード変調信号を生成するための送信用乗算器１３とを備えている。
【００６１】
上記第３の実施例では、拡散コードの一周期より短い時間でデータＤＡＴＡが変化するために、ビット数の短いコードを用いることによりコード変調が比較的短時間で行われる場合と類似した効果が得られる。ただし、ここでは、短時間でデータと周期的コードとの同期がとれるようにするために、上記周期的コードのコード長に等しい周期で変化するデータをプリアンブルの部分に付加して送信することが望ましい。
【００６２】
上記第３の実施例におけるコード復調機等の受信部の構成は、前述の第１の実施例や第２の実施例の構成と同じなので、その詳細な説明は省略する。
図５は、本発明の第４の実施例の構成を示す回路ブロック図である。ここでも、データ通信システム内の本発明に関係する部分を重点的に示すこととする。
図５に示す第４の実施例は、送信用の周期的コードの代わりに周期性のない非周期的コードを使用してコード変調およびコード復調を行う場合のデータ通信システムの構成を示すものである。
【００６３】
さらに詳しく説明すると、図５において、送信の対象とするデータＤＡＴＡを送信する側に配置されるコード変調機等の送信部は、上記データのビットクロックの任意の整数倍の伝送速度を有する送信クロックに基づき、周波数帯域が拡散された送信用の非周期的コードを生成する送信用コード発生器１４と、上記データの各ビット毎に上記送信用の非周期的コードを乗算してコード変調信号Ｓｍを生成するための送信用乗算器１３とを備えている。
【００６４】
この場合、送信の対象とするデータＤＡＴＡは、前述の第１の実施例の場合と同様に、Ｄ型フリップフロップ等からなるデータ保持部６により一時的に保持される。また一方で、１／Ｎ分周部７において、データＤＡＴＡのビットクロックＣＬＫのＮ倍の伝送速度を有する送信クロックが生成される。さらに、送信用乗算器１３において、データ保持部６から送出されるデータの各ビットと上記送信用の周期的コードとの積をとることによりコード変調信号Ｓｍが生成される。
【００６５】
ここでは、周期性をもたない非周期的コードを拡散コードとして使用する場合のデータ通信システムの構成を示しているが、Ｍ系列やＧｏｌｄ符合等の周期的なコードを頻繁に切替えて実質的に非周期的なコードを作成してコード変調に使用する場合も含まれることに注意すべきである。
さらに、上記第４の実施例は、送信用の周期的コードを生成するための送信クロックの周波数が、送信の対象とするデータＤＡＴＡのビットクロックＣＬＫの周波数の整数倍になっていると共に、拡散コードの一周期より短い時間でデータＤＡＴＡが変化する場合のデータ通信システム（前述の第３の実施例）と組み合わせて構成することも可能である。この場合には、上記の１／Ｎ分周部の代わりにＭ／Ｎ分周部が使用される。
【００６６】
さらに、図５に示す第４の実施例において、コード変調信号Ｓｍを受信する側に配置されるコード復調機等の受信部は、受信したコード変調信号Ｓｍから上記ビットクロックＣＬＫと同じ伝送速度を有する受信クロックを抽出する受信クロック抽出回路部２０と、この受信クロック抽出回路部２０から抽出される受信クロックに基づき、上記送信用の非周期的コードと同等の受信用の非周期的コードを生成する受信用コード発生器３４と、上記の受信したコード変調信号Ｓｍに上記受信用の非周期的コードを乗算して上記データを復元するための受信用乗算器３３とを備えている。
【００６７】
上記受信用コード発生器３４においては、受信クロック抽出回路部２０から出力された受信クロックに基づき、送信用の非周期的コードと同等の非周期的コードが生成される。また一方で、受信用乗算器３３によりコード変調信号Ｓｍと上記受信用の非周期的コードとの積をとることによってデータを復元すると共に、受信データ同期回路部４０により復元後のデータと上記受信用の非周期的コードとの同期化を行い、元の送信時のデータＤＡＴＡと同等の受信データＲ−ＤＡＴＡを出力することが可能になる。
【００６８】
図６は、本発明の第５の実施例の構成を示す回路ブロック図である。ここでは、伝送線路を共有するコード送信機の全部またはその一部が、送信クロックの同期をとらずに複数種のコード変調信号を出力する場合のデータ通信システムの構成が例示されている。
図６に示す第５の実施例において、送信の対象とする複数種のデータＤＡＴＡ−１〜ＤＡＴＡ−ｎ（ｎは２以上の任意の正の整数）を送信する側に配置されるコード変調機等の送信部は、送信の対象とする複数種のデータＤＡＴＡ−１〜ＤＡＴＡ−ｎにそれぞれ対応する複数種のビットクロックＣＬＫ−１〜ＣＬＫ−ｎのＮ倍（Ｎは任意の正の整数）の伝送速度を有する複数種の送信クロックに基づき、周波数帯域が拡散された疑似ランダムパルスからなる複数種の送信用の周期的コードをそれぞれ生成する第１〜第ｎの送信用疑似ランダムパルス発生器（第１〜第ｎのＰＲＰＧ）１２−１〜１２−ｎと、上記複数種のデータの各ビットに上記複数種の送信用の周期的コードをそれぞれ乗算して複数種のコード変調信号を生成するための第１〜第ｎの送信用乗算器１３−１〜１３−ｎとを備えている。
【００６９】
この場合、送信の対象とする複数種のデータＤＡＴＡ−１〜ＤＡＴＡ−ｎは、それぞれ、Ｄ型フリップフロップ（Ｄ−ＦＦ）等からなる第１〜第ｎのデータ保持部６−１〜６−ｎにより一時的に保持される。また一方で、第１〜第ｎの１／Ｎ分周部７０−１〜７０−ｎにおいて、複数種のデータＤＡＴＡ−１〜ＤＡＴＡ−ｎにそれぞれ対応する複数種のビットクロックＣＬＫ−１〜ＣＬＫ−ｎのＮ倍の伝送速度を有する複数種の送信クロックが、それぞれ生成される。さらに、第１〜第ｎのデータ保持部６−１〜６−ｎにそれぞれ保持された複数種のデータＤＡＴＡ−１〜ＤＡＴＡ−ｎは、上記複数種の送信クロックに基づきＮ倍の伝送速度にて第１〜第ｎの送信用乗算器１３−１〜１３−ｎにそれぞれ入力される。これらの第１〜第ｎの送信用乗算器１３−１〜１３−ｎにおいては、入力された複数種のデータＤＡＴＡ−１〜ＤＡＴＡ−ｎの各ビットと上記複数種の送信用の周期的コードとの積をとることにより複数種のコード変調信号がそれぞれ生成される。
【００７０】
さらに、図６に示す第５の実施例においては、複数種のコード変調信号を受信する側に配置されるコード復調機等の受信部は、前述の第１の実施例の場合と同じように、受信した複数種のコード変調信号から上記複数種のビットクロックＣＬＫ−１〜ＣＬＫ−ｎの各々と同じ伝送速度を有する受信クロックを抽出する受信クロック抽出回路部２０と、この受信クロック抽出回路部２０から抽出される受信クロックに基づき、上記複数種の送信用の各々の周期的コードと同等の疑似ランダムパルスからなる受信用の周期的コードを生成する受信用疑似ランダムパルス発生器３２と、上記の受信した複数種のコード変調信号の各々に上記受信用の周期的コードを乗算して上記複数種のデータＤＡＴＡ−１〜ＤＡＴＡ−ｎを復元するための受信用乗算器３３とを備えている。
【００７１】
好ましくは、本発明の一構成要件である受信データ同期部４（図１）として、受信用乗算器３３により復元された複数種のデータＤＡＴＡ−１〜ＤＡＴＡ−ｎと上記受信用の周期的コードとの同期化を行い、上記複数種のデータＤＡＴＡ−１〜ＤＡＴＡ−ｎとのコード同期がとれた複数種の受信データＲ−ＤＡＴＡ−１〜Ｒ−ＤＡＴＡ−ｎを出力するための受信データ同期回路部４０が設けられている。
【００７２】
上記受信用擬似ランダムパルス発生器３２においては、受信クロック抽出回路部２０から出力された受信クロックに基づき、複数種の送信用の各々の周期的コードと同等の疑似ランダムパルスからなる受信用の周期的コードが生成される。また一方で、コード復調機により受信した複数種のコード変調信号は、受信用乗算器３３に入力される。この受信用乗算器３３により複数種のコード変調信号の各々と上記受信用の周期的コードとの積をとることによって複数種のデータＤＡＴＡ−１〜ＤＡＴＡ−ｎを復元すると共に、受信データ同期回路部４０により復元後の複数種のデータの各々と上記受信用の周期的コードとの同期化を行い、元の送信時の複数種のデータＤＡＴＡ−１〜ＤＡＴＡ−ｎと同等の複数種の受信データＲ−ＤＡＴＡ−１〜Ｒ−ＤＡＴＡ−ｎを出力することが可能になる。
【００７３】
上記第５の実施例においては、複数種のデータＤＡＴＡ−１〜ＤＡＴＡ−ｎの各ビットと上記複数種の送信用の周期的コードとの積をとることにより得られる複数種のコード変調信号を、同じタイミングでは互いに異なるデータパターンを含むようにしているので、上記複数種のコード変調信号が重なっても同コード変調信号を明確にすることができる。それゆえに、上記第５の実施例によれば、上記複数種のビットクロック、および上記複数種の送信クロックの同期をとらなくとも、上記複数種のコード変調信号を互いに重ねて送信することが可能になる。
【００７４】
さらに、上記第５の実施例に示すような構成のデータ通信システムは、複数種の送信クロックの伝送速度が、それぞれ、送信の対象とする複数種のデータのビットクロックよりも速くかつ上記ビットクロックの任意の整数倍の伝送速度を有していない場合にも適用され得る。この場合には、前述の第１〜第ｎのデータ保持部および第１〜第ｎの１／Ｎ分周部は不要となる。
【００７５】
さらにまた、上記第５の実施例に示すような構成のデータ通信システムは、上記の周期的コードの代わりに非周期的コードを使用して複数種のデータの変調や復調を行う場合にも適用される。この場合には、前述の第１〜第ｎの送信用擬似ランダムパルス発生器の代わりに、周期性をもたない非周期的コードを生成する第１〜第ｎの送信用コード発生器が使用される。
【００７６】
第７図は、本発明の第６の実施例の構成を示す回路ブロック図である。ここでは、送信中の複数種のコード変調信号を常に監視することにより、複数種のデータのある一つの送信クロックの位相を、他の任意のデータの送信クロックの位相からずらした状態で複数種のコード変調信号を送信する場合のデータ通信システムの構成が例示されている。
【００７７】
図７に示す第６の実施例において、前述の第５の実施例の場合と同じように、送信の対象とする複数種のデータＤＡＴＡ−１〜ＤＡＴＡ−ｎを送信する側に配置されるコード変調機等の送信部は、送信の対象とする複数種のデータＤＡＴＡ−１〜ＤＡＴＡ−ｎにそれぞれ対応する複数種のビットクロックＣＬＫ−１〜ＣＬＫ−ｎのＮ倍の伝送速度を有する複数種の送信クロックに基づき、周波数帯域が拡散された疑似ランダムパルスからなる複数種の送信用の周期的コードをそれぞれ生成する第１〜第ｎのメイン送信用疑似ランダムパルス発生器（第１〜第ｎのメインＰＲＰＧ）１２′−１〜１２′−ｎと、上記複数種のデータの各ビットに上記複数種の送信用の周期的コードをそれぞれ乗算して複数種のコード変調信号を生成するための第１〜第ｎの送信用乗算器１３−１〜１３−ｎとを備えている。
【００７８】
この場合、送信の対象とする複数種のデータＤＡＴＡ−１〜ＤＡＴＡ−ｎは、それぞれ、Ｄ型フリップフロップ等からなる第１〜第ｎのデータ保持部６−１〜６−ｎにより一時的に保持される。また一方で、第１〜第ｎの１／Ｎ分周部７０−１〜７０−ｎにおいて、複数種のデータＤＡＴＡ−１〜ＤＡＴＡ−ｎにそれぞれ対応する複数種のビットクロックＣＬＫ−１〜ＣＬＫ−ｎのＮ倍の伝送速度を有する複数種の送信クロックが、それぞれ生成される。さらに、第１〜第ｎのデータ保持部６−１〜６−ｎにそれぞれ保持された複数種のデータＤＡＴＡ−１〜ＤＡＴＡ−ｎは、上記複数種の送信クロックに基づきＮ倍の伝送速度にて第１〜第ｎの送信用乗算器１３−１〜１３−ｎにそれぞれ入力される。これらの第１〜第ｎの送信用乗算器１３−１〜１３−ｎにおいては、入力された複数種のデータＤＡＴＡ−１〜ＤＡＴＡ−ｎの各ビットと上記複数種の送信用の周期的コードとの積をとることにより複数種のコード変調信号がそれぞれ生成される。
【００７９】
さらに、図７に示す第６の実施例においては、このようにして生成された複数種のコード変調信号を常に監視して同コード変調信号の各位相に所定の遅延を付与する目的で、送信中の複数種のコード変調信号から上記複数種の送信クロックをそれぞれ抽出する第１〜第ｎの送信クロック抽出回路部１４−１〜１４−ｎと、これらの第１〜第ｎの送信クロック抽出回路部からそれぞれ抽出される複数種の送信クロックに基づき、上記複数種の送信用の各々の周期的コードと同等の疑似ランダムパルスからなる位相遅延用の周期的コードを生成するために上記メイン第１〜第ｎのメインＰＲＰＧにそれぞれ対応して設けられる第１〜第ｎのサブ受信用疑似ランダムパルス発生器（第１〜第ｎのサブＰＲＰＧ）１５−１〜１５−ｎと、これらの第１〜第ｎのサブＰＲＰＧから出力される位相遅延用の周期的コードを上記複数種のＤＡＴＡ−１〜ＤＡＴＡ−ｎの各ビットに乗算する第１〜第ｎの位相遅延用乗算器１７−１〜１７−ｎとが、上記コード送信機内に設けられている。
【００８０】
さらにまた、上記第１〜第ｎの位相遅延用乗算器から出力される位相遅延対象の複数種のコード変調信号と、上記位相遅延用の周期的コードとの同期化を行い、上記複数種のデータＤＡＴＡ−１〜ＤＡＴＡ−ｎとのコード同期がとれた位相遅延対象の複数種のコード変調信号をそれぞれ出力するための第１〜第ｎの送信データ同期回路部１６−１〜１６−ｎが設けられている。
【００８１】
さらにまた、上記第１〜第ｎの位相遅延用乗算器から出力される位相遅延対象の複数種のコード変調信号の各々を位相遅延前の元のコード変調信号の位相とずらすために、上記位相遅延対象の複数種のコード変調信号にそれぞれ所定の遅延量を付与する第１〜第ｎの遅延回路部１８−１〜１８−ｎが設けられている。
さらに、図７に示す第６の実施例においては、互いに位相がずれた状態の複数種のコード変調信号を受信する側に配置されるコード復調機等の受信部は、前述の第５の実施例の場合と同じように、受信した複数種のコード変調信号から上記複数種のビットクロックＣＬＫ−１〜ＣＬＫ−ｎの各々と同じ伝送速度を有する受信クロックを抽出する受信クロック抽出回路部２０と、この受信クロック抽出回路部２０から抽出される受信クロックに基づき、上記複数種の送信用の各々の周期的コードと同等の疑似ランダムパルスからなる受信用の周期的コードを生成する受信用疑似ランダムパルス発生器３２と、上記の受信した複数種のコード変調信号の各々に上記受信用の周期的コードを乗算して上記複数種のデータＤＡＴＡ−１〜ＤＡＴＡ−ｎを復元するための受信用乗算器３３とを備えている。
【００８２】
好ましくは、本発明の一構成要件である受信データ同期部４（図１）として、受信用乗算器３３により復元された複数種のデータＤＡＴＡ−１〜ＤＡＴＡ−ｎと上記受信用の周期的コードとの同期化を行い、上記複数種のデータＤＡＴＡ−１〜ＤＡＴＡ−ｎとのコード同期がとれた複数種の受信データＲ−ＤＡＴＡ−１〜Ｒ−ＤＡＴＡ−ｎを出力するための受信データ同期回路部４０が設けられている。
【００８３】
上記受信用擬似ランダムパルス発生器３２においては、受信クロック抽出回路部２０から出力された受信クロックに基づき、複数種の送信用の各々の周期的コードと同等の疑似ランダムパルスからなる受信用の周期的コードが生成される。また一方で、コード復調機により受信した互いに位相がずれた状態の複数種のコード変調信号は、受信用乗算器３３に入力される。この受信用乗算器３３により上記複数種のコード変調信号の各々と上記受信用の周期的コードとの積をとることによって複数種のデータＤＡＴＡ−１〜ＤＡＴＡ−ｎを復元すると共に、受信データ同期回路部４０により復元後の複数種のデータの各々と上記受信用の周期的コードとの同期化を行い、元の送信時の複数種のデータＤＡＴＡ−１〜ＤＡＴＡ−ｎと同等の複数種の受信データＲ−ＤＡＴＡ−１〜Ｒ−ＤＡＴＡ−ｎを出力することが可能になる。
【００８４】
上記第６の実施例においては、コード送信機内に設けられた第１〜第ｎのサブＰＲＰＧ１５−１〜１５−ｎ、第１〜第ｎの位相遅延用乗算器１７−１〜１７−ｎ、および第１〜第ｎの遅延回路部１８−１〜１８−ｎ等により、複数種のデータの各々に対する送信クロックの位相を同時に送信中の他のデータの位相からずらしておくことができるので、周期的コード等の変調コードの再利用が可能になる。このような変調コードの再利用が図れるという利点は、複数種の高速のデータを一度に送信する場合に特に有効に作用する。また一方で、複数種の送信クロックの位相を互いにずらすことにより、変調コード信号を受信する側でのコード同期がとりやすくなる。
【００８５】
さらに、上記第６の実施例に示すような構成のデータ通信システムは、複数種の送信クロックの伝送速度が、それぞれ、送信の対象とする複数種のデータのビットクロックよりも速くかつ上記ビットクロックの任意の整数倍の伝送速度を有していない場合にも適用され得る。この場合には、前述の第１〜第ｎのデータ保持部および第１〜第ｎの１／Ｎ分周部は不要となる。
【００８６】
さらにまた、上記第６の実施例に示すような構成のデータ通信システムは、上記の周期的コードの代わりに非周期的コードを使用して複数種のデータの変調や復調を行う場合にも適用される。この場合には、前述の第１〜第ｎのメインＰＲＰＧおよび第１〜第ｎのサブＰＲＰＧの代わりに、周期性をもたない非周期的コードを生成する第１〜第ｎのメイン送信用コード発生器および第１〜第ｎのサブ送信用コード発生器が使用される。
【００８７】
図８は、本発明の実施例における送信部の具体例を示す回路ブロック図、図９は、本発明の実施例における受信部の具体例を示す回路ブロック図、および、図１０は、図８および図９の各部の電圧波形（すなわち、時間ｔに対するディジタル電圧レベルの変化）を示すタイミングチャートである。図８では、代表的に、前述の第１の実施例（図２）にて使用される送信部の具体例を論理回路図により例示しているが、このような受信部の具体的構成は上記第１の実施例のみに限定されるべきものではない。さらに、図９でも、代表的に、前述の第１の実施例（図２）にて使用される受信部の具体例を論理回路図により例示しているが、このような受信部の具体的構成は上記第１の実施例のみに限定されるべきものではない。
【００８８】
図８に示す送信部においては、送信の対象とするデータＤＡＴＡを一時的に保持するためのデータ保持部の機能を有するＤ型フリップフロップ（Ｄ−ＦＦ）６２と、上記データＤＡＴＡのビットクロックＣＬＫのＮ倍の伝送速度を有する送信クロックを生成するための１／Ｎ分周部の機能を有する１／Ｎカウンタ７２とが設けられている。
【００８９】
さらに、図８に示す送信部において、上記送信クロック（すなわち、ビットクロックＣＬＫのクロック周波数ｆｃのＮ倍の周波数を有する送信クロック）に基づき、周波数帯域が拡散された疑似ランダムパルスからなる送信用の周期的コードを生成する送信用疑似ランダムパルス発生器１２（図２）は、上記周期的コード等の拡散コードを予め保持するためのＲＯＭ（読出専用メモリ）またはレジスタからなる拡散コード保持部１２ａと、上記１／Ｎカウンタ７２のカウンタ出力に応じて周期的コードＣＯＤＥが周期的にロードされる複数のＤ型フリップフロップからなるシフトレジスタ１２ｂとを備えている。
【００９０】
さらに、図８に示す送信部において、データＤＡＴＡの各ビットに上記周期的コードＣＯＤＥを乗算する送信用乗算器１３（図２）は、上記Ｄ型フリップフロップ６２から送出される保持データＤ−ＤＡＴＡと、上記シフトレジスタ１２ｂから送出される周期的コードＣＯＤＥとを論理的に掛け合わせるための否定的排他論理和ゲート（ＥＮＯＲゲート）１３ａと、この否定的排他論理和ゲート１３ａから出力されるコード変調信号と上記送信クロックとの同期をとりながら送信データＴＸを生成するための送信データ保持用Ｄ型フリップフロップ（Ｄ−ＦＦ）１３ｂとを備えている。
【００９１】
上記のような論理回路から構成される送信部では、図１０のタイミングチャートに示すように、１／Ｎカウンタ７２において、送信の対象とするデータＤＡＴＡのビットクロックＣＬＫ（図１０の（ａ）部）のＮ倍の伝送速度を有する送信クロックが、カウンタ出力として生成される（図１０の（ｂ）部）。さらに、周期的コードＣＯＤＥ等の拡散コードが、拡散コード保持部１２ａからシフトレジスタ１２ｂへ周期的にロードされる（図１０の（ｃ）部）。さらに、この周期的コードＣＯＤＥと、Ｄ型フリップフロップ６２から出力される保持データＤ−ＤＡＴＡ（図１０の（ｄ）部）とを掛け合わせることにより、元のデータＤＡＴＡのＮ倍の伝送速度を有するコード変調信号を含む送信データＴＸが生成される（図１０の（ｅ）部））。
【００９２】
図９に示す受信部においては、前述の図２に示したような受信クロック抽出回路部２０として、送信部からのコード変調信号を受信して得られる受信信号ＲＸの位相を調整して元のデータＤＡＴＡのビットクロックＣＬＫと同じ伝送速度を有する受信クロックＲＸＣを抽出するＰＬＬ回路部（ＰＬＬ：Phase Locked Loop ）２１を設けている。
【００９３】
さらに、図９に示す受信部においては、上記受信信号ＲＸを一時的に保持するためのＤ型フリップフロップ（Ｄ−ＦＦ）２２と、上記ＰＬＬ回路部２１により抽出された受信クロックＲＸＣに基づき上記ビットクロックＣＬＫのＮ倍の伝送速度を有するコード復調用クロックＲＣ（すなわち、ビットクロックＣＬＫのクロック周波数ｆｃのＮ倍の周波数を有するコード復調用クロックＲＣ）を生成するための１／Ｎ分周部の機能を有する１／Ｎカウンタ２４とが設けられている。
【００９４】
さらに、図９に示す受信部において、上記ＰＬＬ回路部２１から抽出される受信クロックＲＸＣに基づき、上記送信部の周期的コードＣＯＤＥと同等の受信用の周期的コードＲ−ＣＯＤＥを生成する受信用疑似ランダムパルス発生器３２（図２）は、上記受信用の周期的コード等の拡散コードを予め保持するためのＲＯＭまたはレジスタからなる拡散コード保持部３２ａと、上記１／Ｎカウンタ２４のカウンタ出力に応じて受信用の周期的コードＲ−ＣＯＤＥが周期的にロードされる複数のＤ型フリップフロップからなるシフトレジスタ３２ｂとを備えている。
【００９５】
さらに、図９に示す受信部において、上記受信信号ＲＸに上記受信用の周期的コードＲ−ＣＯＤＥを乗算して元のデータＤＡＴＡを復元するための受信用乗算器３３（図２）は、上記Ｄ型フリップフロップ２２から送出される保持受信データＲ−ＤＡＴＡと、上記シフトレジスタ３２ｂから送出される周期的コードＲ−ＣＯＤＥとを論理的に掛け合わせるための否定的排他論理和ゲート（ＥＮＯＲゲート）３３ａとを備えている。
【００９６】
さらに、図９に示す受信部において、前述の図２に示したような受信データ同期回路部４０は、上記否定的排他論理和ゲート３３ａから出力される受信データＲ−ＤＡＴＡと上記受信クロックＲＸＣとの同期をとるための受信データ保持用Ｄ型フリップフロップ（Ｄ−ＦＦ）４１と、受信データ保持用Ｄ型フリップフロップ４１からの出力信号と上記受信データＲ−ＤＡＴＡとの不一致を検出するための出力信号排他論理和ゲート（ＥＯＲゲート）４２と、上記受信クロックＲＸＣに基づいて上記排他論理和ゲート４２による検出結果を蓄積するアキュムレータ４３と、このアキュムレータ４３による蓄積結果に基づいて受信データＲ−ＤＡＴＡと受信クロックＲＸＣとの同期がとれない回数と予め定められた許容値とを比較するマグニチュード・コンパレータ（ＭＣ：Magnitude Comparator）等の振幅比較部４４とを備えている。
【００９７】
この振幅比較部４４は、上記振幅比較部４４の受信データＲ−ＤＡＴＡと受信クロックＲＸＣとの同期がとれない回数が、予め定められた許容値を越えたときに、そのことを示すコード同期信号＊ＳＹＮＣを生成してＡＮＤゲート４６に入力する。また一方で、受信データ遅延用Ｄ型フリップフロップ４５により受信クロックＲＸＣの１クロックサイクル（１周期）分だけコード復調用クロックＲＣを遅延させてＡＮＤゲート４６に入力する。このＡＮＤゲート４６からの出力信号は、１／Ｎカウンタ２４のカウンタ出力をリセットするためのクリア信号ＣＬＥＡＲとして同１／Ｎカウンタ２４に入力される。
【００９８】
さらに詳しく説明すると、図１０のタイミングチャートに示すように、上記受信部における受信信号ＲＸ（図１０の（ｆ）部）は、ＰＬＬ回路部２１により再生された受信クロックＲＸＣ（図１０の（ｇ）部）に基づき、拡散コード等の周期的コードに対し次のようにしてトラッキングがなされる。
受信信号ＲＸの受信開始の時点では、通常は周期的コードと受信信号ＲＸとの同期がとれていないので、非同期のままで１／Ｎカウンタ２４は既知のコード長で受信クロックＲＸＣ（図１０の（ｈ）部）を計数してシフトレジスタ３２ｂに供給する。この結果、前述の送信部と同様の受信用の周期的コードＲ−ＣＯＤＥ（図１０の（ｉ）部）がシフトレジスタ３２ｂから出力される。この受信用の周期的コードＲ−ＣＯＤＥと受信信号ＲＸとの掛け算を否定的排他論理和ゲート３３ａにて実行すると、コード相関がとれて受信データＲ−ＤＡＴＡが得られる（すなわち、コード復調がなされる）。受信データＲ−ＤＡＴＡと受信用の周期的コードＲ−ＣＯＤＥとのコード同期がとれていない間は、あるタイミングの受信データＲ−ＤＡＴＡと当該受信データから受信クロックＲＸＣの１周期分だけ遅れた受信データＲ−ＤＡＴＡとが、上記受信クロックＲＸＣの１周期の間に何度か不一致を起こすので、この不一致を検出した結果を排他論理和ゲート４２から出力してアキュムレータ４３内に蓄積することができる。さらに、振幅比較部４４において、上記受信クロックＲＸＣの１周期の間で受信データＲ−ＤＡＴＡ同士が不一致を起こした回数が予め定められた許容値を越えた場合、アキュムレータ４３から出力されるコード同期信号＊ＳＹＮＣのレベルが“Ｌ(Low）”から“Ｈ（High）”になり、クリア信号ＣＬＥＡＲを発生して１／Ｎカウンタ２４をクリアの状態にする（図１０の（ｊ）部）。このように、１／Ｎカウンタ２４をクリアして受信用の周期的コードを受信クロックＲＸＣの１クロックサイクルだけずらすことにより、最大受信クロックＲＸＣのＮ＊（Ｎ−１）クロックサイクルでコード同期をとることが可能になる。
【００９９】
図１１は、本発明の実施例において多重化された信号を送信するための具体例を示す回路図であり、図１２は、本発明の実施例において多重化された信号を受信するための具体例を示す回路図である。ここでは、例えば、前述の第５の実施例（図６）に示すような多重化された複数種の信号を共有の伝送線路にて送信したり受信したりする場合の送信部および受信部の主要部の構成を例示している。
【０１００】
図１１に示す送信部においては、多重化されたデータに対応する多重入力信号ＩＮＰＵＴ（すなわち、入力多値信号）を論理的に加算するための加算部１９が設けられている。この場合、上記多重入力信号以外の信号であって、拡散コードによりコード変調がなされたコード変調信号である加入者用送信信号もまた、上記の多重入力信号ＩＮＰＵＴと共に加算されて加算部１９から送信することが可能である。
【０１０１】
出力値の範囲は、ある期間の出力の最大値または最小値に適宜マージンを加えて設定することができる。万一加算した結果がこの設定値を越える場合には、設定値（正または負の限界値）を出力する。加入者入力は１ビットの場合もあるし、複数ビットの場合もある。ここでの加算は直線スケールでの加算が簡単だが、より有効に通信媒体を利用するには古くから用いられるコンパンダー・エクスパンダー方式を用いることができる。これをディジタル線路に用いるためには振幅を圧縮した信号、すなわち、コンパンドした信号を上記出力値の範囲で量子化して出力することになる。
【０１０２】
図１２に示す受信部においては、受信した多ビットの多重入力信号ＩＮＰＵＴは、受信用の周期的コード等の拡散コードを生成する擬似ランダムパルス発生器８０の出力に応じて上記多重入力信号の各ビットの符号を調整するための符号反転部８２と、上記多重入力信号を受信クロックの１周期の間加算するためのアキュムレータ８３とが設けられている。このアキュムレータ８３では、上記多重入力信号を受信クロックの１周期にわたって加算することにより、拡散コードとの相関がとられる。このようにして、拡散コードとの相関処理がなされた多重入力信号は、１／Ｎ分周部８１により生成される受信クロックに基づき、同期回路部８４にて拡散コードとのコード同期をとりながら加算器８５に入力され、元の多重化されたデータが復元される。
【０１０３】
図１３は、本発明の第７の実施例の構成を示す回路ブロック図である。ここでは、高速リンクから低速リンクにわたる複数の階層のリンク間で複数種のコード変調信号の変換を行う場合のデータ通信システムの概略的構成が例示されている。
図１３に示す第７の実施例においては、低速リンクＬＬから構成される低速ネットワークＬＮと、高速リンクＨＬから構成される低速ネットワークＨＮとの間に、コード変調／復調回路部５０を設けている。このコード変調／復調回路部５０は、前述の第６の実施例に代表的されるような低速リンクＬＮに属するメイン送信用疑似ランダムパルス発生器（またはメイン送信用コード発生器）および送信用乗算器を含むと共に、同第６の実施例に代表的されるような他の高速リンクＨＬに属する受信クロック抽出回路部、受信用疑似ランダムパルス発生器（または送信用コード発生器）および受信用乗算器を含む。低速リンク側でデータと送信クロックとのコード同期がとれている場合、低速ネットワークＬＮから高速ネットワークＨＮへのコード変調信号の変換は、低速ネットワークＬＮからのコード変調信号を入力としたコード変調／復調回路部５０により行われる。また一方で、低速リンク側でデータと送信クロックとのコード同期がとれていない場合、コード同期をとるための同期器（図示していない）等によりコード同期化を行なった後にコード変調信号の変換を行うようにしている。
【０１０４】
図１４は、本発明の第８の実施例の構成を示す回路ブロック図である。ここでは、一つのネットワークを構成する複数の分岐点でユニークな周期的コードまたは非周期的コード（Unique Code ）をそれぞれ割り当て、上記分岐点毎に個々の加入者に対し上記のユニークなコードをもたせる場合のデータ通信システムの概略的構成が例示されている。
【０１０５】
図１４に示す第８の実施例においては、一つのネットワークＮを構成する複数の分岐点に対し、第１〜第３の加入者用データ通信部５０−１〜５０−３等の複数の加入者用データ通信部がそれぞれ設けられている。
これらの複数の加入者用データ通信部の各々は、前述の第５の実施例に代表されるような複数種の送信用の周期的コードを生成する複数種の送信用疑似ランダムパルス発生器と、複数種のデータの各ビットに上記複数種の送信用の周期的コードをそれぞれ乗算する複数種の送信用乗算器と、複数種のデータのビットクロックと同じ伝送速度を有する受信クロックを抽出する受信クロック抽出回路部と、この受信クロックに基づき、上記複数種の送信用の周期的コードと同等の受信用の周期的コードを生成する受信用疑似ランダムパルス発生器と、受信した複数種のコード変調信号の各々に上記受信用の周期的コードを乗算して複数種のデータを復元するための受信用乗算器と、このようにして復元された複数種のデータの各々と上記受信用の周期的コードとの同期化を行う受信データ同期回路部とを備えている。
【０１０６】
さらに、図１４に示す第８の実施例においては、上記複数の分岐点に対し上記複数種の送信用の周期的コードをそれぞれ割り当て、上記分岐点毎に対応する上記周期的コードの内容および位相を予め変えておくように構成される。このような構成にすれば、個々の加入者に対しユニークな周期的コードをもたせることが可能になる。
【０１０７】
さらにまた、上記の第８の実施例によるデータ通信システムは、複数種の送信クロックの伝送速度が、送信の対象とするデータのビットクロックよりも速くかつ上記ビットクロックの任意の整数倍の伝送速度を有していない場合にも適用される。
さらにまた、上記の第８の実施例によるデータ通信システムは、上記の周期的コードの代わりに非周期的コードを使用して複数種のデータの変調や復調を行う場合にも適用される。
【０１０８】
図１５は、本発明の第９の実施例の構成を示す回路ブロック図である。ここでは、一つのメインネットワークおよび複数のサブネットワークを構成する全ての分岐点または多くの分岐点が共通のコードを有している場合のデータ通信システムの概略的構成が例示されている。
図１５に示す第９の実施例においては、一つのメインネットワークＭＬおよび複数のサブネットワーク（例えば、第１〜第４のサブネットワークＳＮ−１〜ＳＮ−４）を構成する複数の分岐点に対し、第１〜第４のゲートウェイ５２−１〜５２−４等の複数のゲートウェイがそれぞれ設けられている。
【０１０９】
これらの複数のゲートウェイの各々は、前述の第５の実施例に代表されるような複数種の送信用の周期的コードを生成する複数種の送信用疑似ランダムパルス発生器と、複数種のデータの各ビットに上記複数種の送信用の周期的コードをそれぞれ乗算する複数種の送信用乗算器と、複数種のデータのビットクロックと同じ伝送速度を有する受信クロックを抽出する受信クロック抽出回路部と、この受信クロックに基づき、上記複数種の送信用の周期的コードと同等の受信用の周期的コードを生成する受信用疑似ランダムパルス発生器と、受信した複数種のコード変調信号の各々に上記受信用の周期的コードを乗算して複数種のデータを復元するための受信用乗算器と、このようにして復元された複数種のデータの各々と上記受信用の周期的コードとの同期化を行う受信データ同期回路部とを備えている。
【０１１０】
さらに、図１５に示す第９の実施例においては、上記複数の分岐点中の全ての分岐点または多くの分岐点を通過する共通の周期的コードが割り当てられている。それゆえに、上記第９の実施例によれば、共通の周期的コードでもってコード変調がなされたコード変調信号を同時に受信することが可能になる。このような結果は、必ずしも無条件のブロードキャストが可能になることを意味するものではなく、上記の共通のコードで復調したデータに含まれるアドレス等を個々に判定して選択的に受信する可能性もあることを意味するものである。
【０１１１】
さらにまた、上記の第９の実施例によるデータ通信システムは、複数種の送信クロックの伝送速度が、送信の対象とするデータのビットクロックよりも速くかつ上記ビットクロックの任意の整数倍の伝送速度を有していない場合にも適用される。
さらにまた、上記の第９の実施例によるデータ通信システムは、上記の周期的コードの代わりに非周期的コードを使用して複数種のデータの変調や復調を行う場合にも適用される。
【０１１２】
図１６は、本発明の第１０の実施例の構成を示す回路ブロック図である。ここでは、中央制御部であるハブ局もしくは発信元から目的のアドレスを送付し、アドレスの一致した加入者用データ通信部（例えば、局）が変調コードを分岐点に設定して高速のＡＴＭ交換機を不要とする場合のデータ通信システムの概略的構成が例示されている。
【０１１３】
図１６に示す第１０の実施例においては、一つのネットワークを構成する複数の分岐点に接続され、かつ、個々の加入者が相互に複数種のデータの送信および受信を行う第１および第２の加入者用データ通信部５６−１、５６−２等の複数の加入者用データ通信部と、上記複数のデータ通信部の各々を制御するハブ局９等の一つの中央制御部とが設けられている。さらに、上記複数の分岐点に対し、第１および第２のゲートウェイ５４−１、５４−２等の複数のゲートウェイがそれぞれ設けられている。なお、上記複数の加入者用データ通信部の構成は、前述の第８の実施例に示した加入者用データ通信部の構成とほぼ同じであり、上記複数のゲートウェイの構成は、前述の第９の実施例に示した複数のゲートウェイの構成とほぼ同じである。
【０１１４】
さらに、図１６の第１０の実施例における中央制御部には、比較的高速にてデータを伝送するための複数の中速リンクＭＬや高速リンクＨＬが上記中央制御部から分岐した形態にて接続されている。さらに、複数の他の階層のリンク、例えば、低速リンクＬＬが、上記の中速リンクＭＬや高速リンクＨＬの各々から分岐している。上記の複数の加入者用データ通信部は、通常、低速リンクＬＬに接続される。
さらに、図１６の第１０の実施例においては、比較的高速にて上記複数の分岐点に対し複数種の送信用の周期的コードをそれぞれ割り当て、上記分岐点毎に対応する上記周期的コードの内容および位相を予め変えておき、上記中央制御部から目的のアドレスを上記複数の分岐点に送付し、上記アドレスと一致したアドレスを有する上記周期的コードが割り当てられた分岐点に接続されるデータ通信部によって、上記データの送信および受信が行われるようになっている。
【０１１５】
すなわち、上記第１０の実施例では、中速リンクＭＬから低速リンクＨＬへデータを転送する場合、中央制御部から目的のアドレスを送付し、アドレスの一致した加入者用データ通信部が変調コードを分岐点に設定することによって、複雑な回路構成のＡＴＭ交換機をわざわざ設けなくとも、異なる階層のリンク間でのデータの送信および受信が容易に可能になる。
【０１１６】
好ましくは、上記第１０の実施例によれば、上記複数の分岐点の各々は、上記周期的コードの候補を何通りか予め持っており、上記加入者用データ通信部によって所定の周期的コードが選択されるようになっている。
さらに、好ましくは、本発明の第１０の実施例によれば、上記複数種の送信用の周期的コードの一部または全部が、上記中央制御部から送信されるようになっている。
【０１１７】
さらに、好ましくは、本発明の第１０の実施例によれば、上記複数の加入者用データ通信部と上記中央制御部とを接続する伝送線路が、複線にて構成される。
さらに、好ましくは、本発明の第１０の実施例によれば、複線からなる伝送線路の全部または一部が、双方向にデータを伝送するように構成される。
さらに、好ましくは、本発明の第１０の実施例によれば、低速にて伝送される形式のデータの通信を行う場合は、長いビット長の周期的コードを用い、高速にて伝送される形式のデータの通信を行う場合は、短いビット長の周期的コードを用いるようになっている。
【０１１８】
さらに、好ましくは、本発明の第１０の実施例によれば、上記の短いビット長の周期的コードと、上記の長いビット長の周期的コードの一部であって上記短いビット長の周期的コードのパターンと不一致であり、かつ、上記短いビット長の周期的コードのコード長に等しい部分のコードとのハミング距離の最小値が大きくとれるようになっている。
【０１１９】
さらに、好ましくは、本発明の第１０の実施例によれば、ネットワーク内の同じレベルの周期的コードの調停を行う場合、任意の加入者用データ通信部が現在使用している周期的コードまたは当該周期的コードの認識番号を上記ネットワーク内の他の全ての加入者用データ通信部に通知するようになっている。
さらに、好ましくは、本発明の第１０の実施例によれば、上記ネットワーク内の同じレベルの周期的コードの調停を行う場合、任意の加入者用データ通信部が現在使用している周期的コードまたは当該周期的コードの認識番号を上記ネットワーク内の他の全ての加入者用データ通信部に通知すると共に、今後使用する予定の周期的コードまたは当該周期的コードの認識番号を他の全ての加入者用データ通信部に順次送り込み、上記他の全ての加入者用データ通信部にて承認されたことをもってデータの送信を開始するようになっている。
【０１２０】
さらに、好ましくは、本発明の第１０の実施例によれば、任意の加入者用データ通信部が使用すべき周期的コードを決定するに際し、他のレベルの周期的コードを使用している他の加入者用データ通信部の指示または選択を許容するようになっている。
さらに、好ましくは、本発明の第１０の実施例によれば、複数種の送信クロックを互いに同期させることによって複数種のコード変調信号を多重化するようになっている。
【０１２１】
さらに、好ましくは、本発明の第１０の実施例によれば、全ての周期的コードのコード長が同じであるか、または使用される周期的コードのコード長が全て所定の長さの約数になっている場合、データのビットクロックの同期をとるか、または上記ビットクロックの位相を送信クロック単位でずらすようになっている。
さらに、好ましくは、本発明の第１０の実施例によれば、データのビットクロック、および複数種の送信クロックの同期をとることなく複数種のコード変調信号を多重化するようになっている。
【０１２２】
さらに、好ましくは、本発明の第１０の実施例によれば、これまで述べたような高速キャリアを用いないＣＤＭＡ方式によるデータ通信システムにおいては、他のデータに衝突したビット、すなわち、同一レベルの２つ以上の局から同時に送信されたマークが１ビットの期間もしくは部分ビットの期間重なった場合に、そのまま伝送線路の持つ多値数によりデータがクリップされるようになっている。
【０１２３】
さらに、好ましくは、本発明の第１０の実施例によれば、上記の衝突したデータに関する衝突情報をデータ送信時に検知して別途送信し、必要に応じてデータ受信時に同衝突情報を使用することが可能になる。ここで「別途送信」とは、文字通り付加的な通信路を設けることにより上記衝突情報を送信すること、または、時分割方式により、すなわち、送信中のデータに上記衝突情報を付加したり後で回線が空いたときに、上記衝突情報を送信したりことを指して言う。
【０１２４】
さらに、好ましくは、本発明の第１０の実施例によれば、データ通信の信頼性を上げるために、上記衝突情報を、生の受信データと共にデコードするようになっている。
さらに、好ましくは、本発明の第１０の実施例によれば、低速リンクと高速リンクとの接点になる分岐点において、衝突される側の被衝突情報と共に上記衝突情報をデコードすることによって、当該衝突情報を衝突していない情報として伝えることが可能になる。
【０１２５】
さらにまた、上記の第１０の実施例によれば、複数種の送信クロックの伝送速度が、送信の対象とするデータのビットクロックよりも速くかつ上記ビットクロックの任意の整数倍の伝送速度を有していない場合にも適用される。
さらにまた、上記の第１０の実施例によるデータ通信システムは、上記の周期的コードの代わりに非周期的コードを使用してデータの変調や復調を行う場合にも適用される。
（付記１）  送信の対象とするデータのビットクロックよりも速い伝送速度を有する送信クロックに基づき第１の変調コードを生成し、該データの各ビットに該第１の変調コードを乗算してコード変調信号を生成するコード変調手段と、
該コード変調手段より送信されるコード変調信号を受信し、該受信したコード変調信号から前記ビットクロックと同じ伝送速度を有する受信クロックを抽出するクロック抽出部と、
該クロック抽出部から抽出された受信クロックに基づき前記第１の変調コードと同等の第２の変調コードを生成し、前記の受信したコード変調信号に該第２の変調コードを乗算して前記データを復元するコード復調手段とを備えることを特徴とするデータ通信システム。
（付記２）  前記コード変調手段が、前記第１の変調コードとして、前記送信クロックに基づき周波数帯域が拡散された第１の拡散コードを生成する第１の拡散コード生成部と、該データの各ビットに該第１の拡散コードを乗算して前記データの周波数スペクトラム拡散を行うための第１の乗算部とを有する付記１記載のデータ通信システム。
（付記３）  前記コード復調手段が、前記第２の変調コードとして、前記クロック抽出部から抽出された受信クロックに基づき前記第１の拡散コードと同等の第２の拡散コードを生成する第２の拡散コード生成部と、前記の受信したコード変調信号に該第２の拡散コードを乗算して前記データを復元するための第２の乗算部とを有する付記１記載のデータ通信システム。
（付記４）  前記データ通信システムが、さらに、前記コード復調手段により復元されるデータと前記第２の変調コードとの同期化を行い、該データとのコード同期がとれた受信データを出力するための受信データ同期部を備える付記１記載のデータ通信システム。
（付記５）  送信の対象とするデータのビットクロックの任意の整数倍の伝送速度を有する送信クロックに基づき、周波数帯域が拡散された疑似ランダムパルスからなる送信用の周期的コードを生成する送信用疑似ランダムパルス発生器と、
該データの各ビットに該送信用の周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の周期的コードと同等の疑似ランダムパルスからなる受信用の周期的コードを生成する受信用疑似ランダムパルス発生器と、
前記の受信したコード変調信号に該受信用の周期的コードを乗算して前記データを復元するための受信用乗算器とを備えることを特徴とするデータ通信システム。
（付記６）  前記データ通信システムが、さらに、前記の復元されたデータと前記受信用の周期的コードとの同期化を行い、該データとのコード同期がとれた受信データを出力するための受信データ同期回路部を備える付記５記載のデータ通信システム。
（付記７）  送信の対象とするデータのビットクロックよりも速い伝送速度を有する送信クロックに基づき、周波数帯域が拡散された疑似ランダムパルスからなる送信用の周期的コードを生成する送信用疑似ランダムパルス発生器と、
該データの各ビットに該送信用の周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の周期的コードと同等の疑似ランダムパルスからなる受信用の周期的コードを生成する受信用疑似ランダムパルス発生器と、
前記の受信したコード変調信号に該受信用の周期的コードを乗算して前記データを復元するための受信用乗算器とを備えることを特徴とするデータ通信システム。
（付記８）  前記データ通信システムが、さらに、前記の復元されたデータと前記受信用の周期的コードとの同期化を行い、該データとのコード同期がとれた受信データを出力するための受信データ同期回路部を備える付記７記載のデータ通信システム。
（付記９）  送信の対象とするデータのビットクロックよりも速い伝送速度を有する送信クロックに基づき、周波数帯域が拡散された疑似ランダムパルスからなる送信用の周期的コードを生成する送信用疑似ランダムパルス発生器と、
該データの複数ビット毎に該送信用の周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の周期的コードと同等の疑似ランダムパルスからなる受信用の周期的コードを生成する受信用疑似ランダムパルス発生器と、
前記の受信したコード変調信号に該受信用の周期的コードを乗算して前記データを復元するための受信用乗算器とを備えることを特徴とするデータ通信システム。
（付記１０）  前記データ通信システムが、さらに、前記の復元されたデータと前記受信用の周期的コードとの同期化を行い、該データとのコード同期がとれた受信データを出力するための受信データ同期回路部を備える付記９記載のデータ通信システム。
（付記１１）  送信の対象とするデータのビットクロックの任意の整数倍の伝送速度を有する送信クロックに基づき、周波数帯域が拡散された送信用の非周期的コードを生成する送信用コード発生器と、
該データの各ビットに該送信用の非周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の非周期的コードと同等の受信用の非周期的コードを生成する受信用コード発生器と、
前記の受信したコード変調信号に該受信用の非周期的コードを乗算して前記データを復元するための受信用乗算器とを備えることを特徴とするデータ通信システム。
（付記１２）  前記データ通信システムが、さらに、前記の復元されたデータと前記受信用の非周期的コードとの同期化を行い、該データとのコード同期がとれた受信データを出力するための受信データ同期回路部を備える付記１１記載のデータ通信システム。
（付記１３）  送信の対象とするデータのビットクロックよりも速い伝送速度を有する送信クロックに基づき、周波数帯域が拡散された送信用の非周期的コードを生成する送信用コード発生器と、
該データの複数ビット毎に該送信用の非周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の周期的コードと同等の受信用の非周期的コードを生成する受信用コード発生器と、
前記の受信したコード変調信号に該受信用の非周期的コードを乗算して前記データを復元するための受信用乗算器とを備えることを特徴とするデータ通信システム。
（付記１４）  前記データ通信システムが、さらに、前記の復元されたデータと前記受信用の非周期的コードとの同期化を行い、該データとのコード同期がとれた受信データを出力するための受信データ同期回路部を備える付記１３記載のデータ通信システム。
（付記１５）  送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数種のビットクロック、および前記複数種の送信クロックの同期をとることなく、前記複数種のコード変調信号を重ねて送信することを特徴とするデータ通信システム。
（付記１６）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記１５記載のデータ通信システム。
（付記１７）  複数の階層からなるネットワークにおける任意の一つの階層に属する前記送信用疑似ランダムパルス発生器および前記送信用乗算器から、他の階層に属する前記受信クロック抽出回路部、前記受信用疑似ランダムパルス発生器および前記受信用乗算器へ前記複数種のコード変調信号を伝送するように構成される付記１５記載のデータ通信システム。
（付記１８）  送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数種のビットクロック、および前記複数種の送信クロックの同期をとることなく、前記複数種のコード変調信号を重ねて送信することを特徴とするデータ通信システム。
（付記１９）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記１８記載のデータ通信システム。
（付記２０）  複数の階層からなるネットワークにおける任意の一つの階層に属する前記送信用疑似ランダムパルス発生器および前記送信用乗算器から、他の階層に属する前記受信クロック抽出回路部、前記受信用疑似ランダムパルス発生器および前記受信用乗算器へ前記複数種のコード変調信号を伝送するように構成される付記１８記載のデータ通信システム。
（付記２１）  送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数種のビットクロック、および前記複数種の送信クロックの同期をとることなく、前記複数種のコード変調信号を重ねて送信することを特徴とするデータ通信システム。
（付記２２）  前記データ通信システムが、さらに、前記の復元されたデータと前記受信用の非周期的コードとの同期化を行い、該データとのコード同期がとれた受信データを出力するための受信データ同期回路部を備える付記２１記載のデータ通信システム。
（付記２３）  複数の階層からなるネットワークにおける任意の一つの階層に属する前記送信用コード発生器および前記送信用乗算器から、他の階層に属する前記受信クロック抽出回路部、前記受信用コード発生器および前記受信用乗算器へ前記複数種のコード変調信号を伝送するように構成される付記２１記載のデータ通信システム。
（付記２４）  送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数種のビットクロック、および前記複数種の送信クロックの少なくとも一方の各々の位相を他の位相から所定の値だけずらすことにより、前記複数種のコード変調信号を重ねて送信することを特徴とするデータ通信システム。
（付記２５）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記２４記載のデータ通信システム。
（付記２６）  複数の階層からなるネットワークにおける任意の一つの階層に属する前記送信用疑似ランダムパルス発生器および前記送信用乗算器から、他の階層に属する前記受信クロック抽出回路部、前記受信用疑似ランダムパルス発生器および前記受信用乗算器へ前記複数種のコード変調信号を伝送するように構成される付記２４記載のデータ通信システム。
（付記２７）  送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数種のビットクロック、および前記複数種の送信クロックの少なくとも一方の各々の位相を他の位相から所定の値だけずらすことにより、前記複数種のコード変調信号を重ねて送信することを特徴とするデータ通信システム。
（付記２８）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記２７記載のデータ通信システム。
（付記２９）  複数の階層からなるネットワークにおける任意の一つの階層に属する前記送信用疑似ランダムパルス発生器および前記送信用乗算器から、他の階層に属する前記受信クロック抽出回路部、前記受信用疑似ランダムパルス発生器および前記受信用乗算器へ前記複数種のコード変調信号を伝送するように構成される付記２７記載のデータ通信システム。
（付記３０）  送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数種のビットクロック、および前記複数種の送信クロックの少なくとも一方の各々の位相を他の位相から所定の値だけずらすことにより、前記複数種のコード変調信号を重ねて送信することを特徴とするデータ通信システム。
（付記３１）  前記データ通信システムが、さらに、前記の復元されたデータと前記受信用の非周期的コードとの同期化を行い、該データとのコード同期がとれた受信データを出力するための受信データ同期回路部を備える付記３０記載のデータ通信システム。
（付記３２）  複数の階層からなるネットワークにおける任意の一つの階層に属する前記送信用コード発生器および前記送信用乗算器から、他の階層に属する前記受信クロック抽出回路部、前記受信用コード発生器および前記受信用乗算器へ前記複数種のコード変調信号を伝送するように構成される付記３０記載のデータ通信システム。
（付記３３）  ネットワークを構成する複数の分岐点において、
送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とが設けられ、
前記複数の分岐点に対し前記複数種の送信用の周期的コードをそれぞれ割り当て、該分岐点毎に対応する前記周期的コードの内容および位相を予め変えておくことを特徴とするデータ通信システム。
（付記３４）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記３３記載のデータ通信システム。
（付記３５）  ネットワークを構成する複数の分岐点において、
送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の受信用の非周期的コードを生成する受信用コード発生器と、
前記の受信した複数種のコード変調信号の各々に該受信用の周期的コードを乗算して前記複数種のデータの各々を復元するための受信用乗算器とが設けられ、
前記複数の分岐点に対し前記複数種の送信用の周期的コードをそれぞれ割り当て、該分岐点毎に対応する前記周期的コードの内容および位相を予め変えておくことを特徴とするデータ通信システム。
（付記３６）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記３５記載のデータ通信システム。
（付記３７）  ネットワークを構成する複数の分岐点において、
送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とが設けられ、
前記複数の分岐点に対し前記複数種の送信用の非周期的コードをそれぞれ割り当て、該分岐点毎に対応する前記非周期的コードの内容および位相を予め変えておくことを特徴とするデータ通信システム。
（付記３８）  前記データ通信システムが、さらに、前記の復元された複数種のデータの各々と前記受信用の非周期的コードとの同期化を行い、該複数種のデータの各々とのコード同期がとれた受信データを出力するための受信データ同期回路部を備える付記３７記載のデータ通信システム。
（付記３９）  ネットワークを構成する複数の分岐点において、
送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とが設けられ、
前記複数の分岐点中の全ての分岐点または多くの分岐点を通過する共通の周期的コードを割り当てることを特徴とするデータ通信システム。
（付記４０）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記３９記載のデータ通信システム。
（付記４１）  ネットワークを構成する複数の分岐点において、
送信の対象とする送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とが設けられ、
前記複数の分岐点中の全ての分岐点または多くの分岐点を通過する共通の周期的コードを割り当てることを特徴とするデータ通信システム。
（付記４２）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記４１記載のデータ通信システム。
（付記４３）  ネットワークを構成する複数の分岐点において、
送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とが設けられ、
前記複数の分岐点中の全ての分岐点または多くの分岐点を通過する共通の非周期的コードを割り当てることを特徴とするデータ通信システム。
（付記４４）  前記データ通信システムが、さらに、前記の復元された複数種のデータの各々と前記受信用の非周期的コードとの同期化を行い、該複数種のデータの各々とのコード同期がとれた受信データを出力するための受信データ同期回路部を備える付記４３記載のデータ通信システム。
（付記４５）  ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点に対し前記複数種の送信用の周期的コードをそれぞれ割り当て、該分岐点毎に対応する前記周期的コードの内容および位相を予め変えておき、
前記中央制御部から目的のアドレスを前記複数の分岐点に送付し、該アドレスと一致したアドレスを有する前記周期的コードが割り当てられた分岐点に接続されるデータ通信部によって、前記データの送信および受信が行われることを特徴とするデータ通信システム。
（付記４６）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記４５記載のデータ通信システム。
（付記４７）  前記複数の分岐点の各々が、前記周期的コードの候補を何通りか予め持っており、前記データ通信部によって所定の周期的コードが選択される付記４５記載のデータ通信システム。
（付記４８）  前記複数種の送信用の周期的コードの一部または全部が、前記中央制御部から送信される付記４５記載のデータ通信システム。
（付記４９）  前記複数のデータ通信部と前記中央制御部とを接続する伝送線路が、複線にて構成される付記４５記載のデータ通信システム。
（付記５０）  前記複線からなる伝送線路の全部または一部が、双方向に前記複数種のデータを伝送するように構成される付記４９記載のデータ通信システム。
（付記５１）  低速にて伝送される形式の前記複数種のデータの通信を行う場合は、長いビット長の前記周期的コードを用い、高速にて伝送される形式の前記複数種のデータの通信を行う場合は、短いビット長の前記周期的コードを用いる付記４５記載のデータ通信システム。
（付記５２）  前記の短いビット長の周期的コードと、前記の長いビット長の周期的コードの一部であって該短いビット長の周期的コードのパターンと不一致であり、かつ、該短いビット長の周期的コードのコード長に等しい部分のコードとのハミング距離の最小値が大きくとれる付記５０記載のデータ通信システム。
（付記５３）  前記ネットワーク内の同じレベルの前記周期的コードの調停を行う場合、任意のデータ通信部が現在使用している周期的コードまたは当該周期的コードの認識番号を前記ネットワーク内の他の全てのデータ通信部に通知する付記４５記載のデータ通信システム。
（付記５４）  前記ネットワーク内の同じレベルの前記周期的コードの調停を行う場合、任意のデータ通信部が現在使用している周期的コードまたは当該周期的コードの認識番号を前記ネットワーク内の他の全てのデータ通信部に通知すると共に、今後使用する予定の周期的コードまたは当該周期的コードの認識番号を他の全てのデータ通信部に順次送り込み、該他の全てのデータ通信部にて承認されたことをもって前記複数種のデータの送信を開始する付記４５記載のデータ通信システム。
（付記５５）  前記任意のデータ通信部が使用すべき周期的コードを決定するに際し、他のレベルの周期的コードを使用している他のデータ通信部の指示または選択を許容する付記５３記載のデータ通信システム。
（付記５６）  前記複数種の送信クロックを互いに同期させることによって前記複数種のコード変調信号を多重化する付記４５記載のデータ通信システム。
（付記５７）  全ての前記周期的コードのコード長が同じであるか、または使用される前記周期的コードのコード長が全て所定の長さの約数になっている場合、前記複数種のデータのビットクロックの同期をとるか、または該ビットクロックの位相を前記送信クロック単位でずらす付記４５記載のデータ通信システム。
（付記５８）  前記複数種のデータのビットクロック、および前記複数種の送信クロックの同期をとることなく前記複数種のコード変調信号を多重化する付記４５記載のデータ通信システム。
（付記５９）  ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点に対し前記複数種の送信用の周期的コードをそれぞれ割り当て、該分岐点毎に対応する前記周期的コードの内容および位相を予め変えておき、
前記中央制御部から目的のアドレスを前記複数の分岐点に送付し、該アドレスと一致したアドレスを有する前記周期的コードが割り当てられた分岐点に接続されるデータ通信部によって、前記データの送信および受信が行われることを特徴とするデータ通信システム。
（付記６０）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記５９記載のデータ通信システム。
（付記６１）  ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数の分岐点に対し前記複数種の送信用の非周期的コードをそれぞれ割り当て、該分岐点毎に対応する前記非周期的コードの内容および位相を予め変えておき、
前記中央制御部から目的のアドレスを前記複数の分岐点に送付し、該アドレスと一致したアドレスを有する前記非周期的コードが割り当てられた分岐点に接続されるデータ通信部によって、前記データの送信および受信が行われることを特徴とするデータ通信システム。
（付記６２）  前記データ通信システムが、さらに、前記の復元された複数種のデータの各々と前記受信用の非周期的コードとの同期化を行い、該複数種のデータの各々とのコード同期がとれた受信データを出力するための受信データ同期回路部を備える付記６１記載のデータ通信システム。
（付記６３）  ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点中の全ての分岐点または多くの分岐点を通過する共通の周期的コードを割り当て、
前記中央制御部から目的のアドレスを前記複数の分岐点に送付し、該アドレスと一致したアドレスを有する前記共通の周期的コードが割り当てられた分岐点に接続されるデータ通信部によって、前記データの送信および受信が行われることを特徴とするデータ通信システム。
（付記６４）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記６３記載のデータ通信システム。
（付記６５）  前記複数の分岐点の各々が、前記共通の周期的コードの候補を何通りか予め持っており、前記データ通信部によって所定の周期的コードが選択される付記６３記載のデータ通信システム。
（付記６６）  前記複数種の送信用の周期的コードの一部または全部が、前記中央制御部から送信される付記６３記載のデータ通信システム。
（付記６７）  前記複数のデータ通信部と前記中央制御部とを接続する伝送線路が、複線にて構成される付記６３記載のデータ通信システム。
（付記６８）  前記複線からなる伝送線路の全部または一部が、双方向に前記複数種のデータを伝送するように構成される付記６７記載のデータ通信システム。
（付記６９）  低速にて伝送される形式の前記複数種のデータの通信を行う場合は、長いビット長の前記周期的コードを用い、高速にて伝送される形式の前記複数種のデータの通信を行う場合は、短いビット長の前記周期的コードを用いる付記６３記載のデータ通信システム。
（付記７０）  前記の短いビット長の周期的コードと、前記の長いビット長の周期的コードの一部であって該短いビット長の周期的コードのパターンと不一致であり、かつ、該短いビット長の周期的コードのコード長に等しい部分のコードとのハミング距離の最小値が大きくとれる付記６８記載のデータ通信シシステム。
（付記７１）  前記ネットワーク内の同じレベルの前記周期的コードの調停を行う場合、任意のデータ通信部が現在使用している周期的コードまたは当該周期的コードの認識番号を前記ネットワーク内の他の全てのデータ通信部に通知する付記６３記載のデータ通信システム。
（付記７２）  前記ネットワーク内の同じレベルの前記周期的コードの調停を行う場合、任意のデータ通信部が現在使用している周期的コードまたは当該周期的コードの認識番号を前記ネットワーク内の他の全てのデータ通信部に通知すると共に、今後使用する予定の周期的コードまたは当該周期的コードの認識番号を他の全てのデータ通信部に順次送り込み、該他の全てのデータ通信部にて承認されたことをもって前記複数種のデータの送信を開始する付記６３記載のデータ通信システム。
（付記７３）  前記任意のデータ通信部が使用すべき周期的コードを決定するに際し、他のレベルの周期的コードを使用している他のデータ通信部の指示または選択を許容する付記７１記載のデータ通信システム。
（付記７４）  前記複数種の送信クロックを互いに同期させることによって前記複数種のコード変調信号を多重化する付記６３記載のデータ通信システム。
（付記７５）  全ての前記周期的コードのコード長が同じであるか、または使用される前記周期的コードのコード長が全て所定の長さの約数になっている場合、前記複数種のデータのビットクロックの同期をとるか、または該ビットクロックの位相を前記送信クロック単位でずらす付記６３記載のデータ通信システム。
（付記７６）  前記複数種のデータのビットクロック、および前記複数種の送信クロックの同期をとることなく前記複数種のコード変調信号を多重化する付記６３記載のデータ通信システム。
（付記７７）  ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点中の全ての分岐点または多くの分岐点を通過する共通の周期的コードを割り当て、
前記中央制御部から目的のアドレスを前記複数の分岐点に送付し、該アドレスと一致したアドレスを有する前記共通の周期的コードが割り当てられた分岐点に接続されるデータ通信部によって、前記データの送信および受信が行われることを特徴とするデータ通信システム。
（付記７８）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記７７記載のデータ通信システム。
（付記７９）  ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数の分岐点中の全ての分岐点または多くの分岐点を通過する共通の非周期的コードを割り当て、
前記中央制御部から目的のアドレスを前記複数の分岐点に送付し、該アドレスと一致したアドレスを有する前記非周期的コードが割り当てられた分岐点に接続されるデータ通信部によって、前記データの送信および受信が行われることを特徴とするデータ通信システム。
（付記８０）  前記データ通信システムが、さらに、前記の復元された複数種のデータの各々と前記受信用の非周期的コードとの同期化を行い、該複数種のデータの各々とのコード同期がとれた受信データを出力するための受信データ同期回路部を備える付記７９記載のデータ通信システム。
【０１２６】
【発明の効果】
以上説明したように、本発明のデータ通信システムによれば、第１に、送信の対象とするデータのビットクロックよりも速い伝送速度を有する送信クロックに基づき生成される拡散コード等の変調コードを利用したコード変調を行ってネットワーク内のデータ通信を統一的に管理することができるので、複数のＡＴＭスイッチの複雑な制御を必要とするＡＴＭ交換機を設けることなく、従来よりも簡単な回路構成でもって高速通信用のネットワークや低速通信用のネットワーク毎にデータのパケットの長さを調整したり、データの通信速度の変更要求等に対しデータのパケットの長さを変更したりすることが容易に行えるようになる。
【０１２７】
さらに、本発明のデータ通信システムによれば、第２に、送信の対象とするデータのビットクロックの任意の整数倍の伝送速度を有する送信クロックに基づき、周波数帯域が拡散された疑似ランダムパルスからなる送信用の周期的コードを生成し、このような周期的コードを利用したＣＤＭＡ方式によるコード変調を行ってデータの占有帯域幅を自由に設定することにより、ネットワーク内のデータ通信を統一的に管理することが可能になり、従来のＡＴＭ交換機を必要としない簡単な回路構成でもって高速通信用のネットワークや低速通信用のネットワーク毎にデータのパケットの長さを調整したり、データの通信速度の変更要求等に対しデータのパケットの長さを変更したりすることが容易に行えるようになる。
【０１２８】
さらに、本発明のデータ通信システムによれば、第３に、送信の対象とするデータのビットクロックよりも速くかつ上記ビットクロックの任意の整数倍の伝送速度を有していない送信クロックに基づき、周波数帯域が拡散された疑似ランダムパルスからなる送信用の周期的コードを生成し、このような周期的コードを利用したＣＤＭＡ方式によるコード変調を行ってデータの占有帯域幅を自由に設定することにより、ネットワーク内のデータ通信を統一的に管理することが可能になり、従来のＡＴＭ交換機を必要としない簡単な回路構成でもって高速通信用のネットワークや低速通信用のネットワーク毎にデータのパケットの長さを調整したり、データの通信速度の変更要求等に対しデータのパケットの長さを変更したりすることが容易に行えるようになる。
【０１２９】
さらに、本発明のデータ通信システムによれば、第４に、送信の対象とするデータのビットクロックよりも速くかつ上記ビットクロックの任意の整数倍の伝送速度を有していない送信クロックに基づき、周波数帯域が拡散された疑似ランダムパルスからなる送信用の周期的コードを生成し、しかも、この周期的コードの一周期より短い期間で多重化されたデータを変化させるようなＣＤＭＡ方式によるコード変調を行ってデータの占有帯域幅を自由に設定することにより、データ通信の効率を比較的高くした状態でネットワーク内のデータ通信を統一的に管理することが可能になり、従来のＡＴＭ交換機を必要としない簡単な回路構成でもって高速通信用のネットワークや低速通信用のネットワーク毎に多重化されたデータのパケットの長さを調整したり、上記データの通信速度の変更要求等に対し同データのパケットの長さを変更したりすることが容易に行えるようになる。
【０１３０】
さらに、本発明のデータ通信システムによれば、第５に、送信の対象とするデータのビットクロックの任意の整数倍の伝送速度を有する送信クロックに基づき、周波数帯域が拡散された疑似ランダムパルスからなる送信用の非周期的コードを生成し、このような非周期的コードを利用したＣＤＭＡ方式によるコード変調を行ってデータの占有帯域幅を自由に設定することにより、非周期的コードを使用した場合でもネットワーク内のデータ通信を統一的に管理することが可能になり、従来のＡＴＭ交換機を必要としない簡単な回路構成でもって高速通信用のネットワークや低速通信用のネットワーク毎にデータのパケットの長さを調整したり、データの通信速度の変更要求等に対しデータのパケットの長さを変更したりすることが容易に行えるようになる。
【０１３１】
さらに、本発明のデータ通信システムによれば、第６に、送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成し、このような複数種の周期的コードを利用したＣＤＭＡ方式によるコード変調を行う場合に、複数種のビットクロックおよび複数種の送信クロックの同期をとらずに複数種のコード変調信号を重ねて送信するようにしているので、従来のＡＴＭ交換機を必要としない簡単な回路構成でもって高速通信用のデータから低速通信用のデータまでのさまざまなデータが含まれるようなデータ送信をスムーズに行うことが可能になる。
【０１３２】
さらに、本発明のデータ通信システムによれば、第７に、送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成し、このような複数種の周期的コードを利用したＣＤＭＡ方式によるコード変調を行う場合に、複数種のビットクロックおよび上記複数種の送信クロックの少なくとも一方の各々の位相を他の位相から所定の値だけずらすことにより、上記複数種のコード変調信号を重ねて送信するようにしているので、従来のＡＴＭ交換機を必要としない簡単な回路構成でもって高速通信用のデータから低速通信用のデータまでのさまざまなデータが含まれるようなデータ受信を誤りなく行うことが可能になる。
【０１３３】
さらに、本発明のデータ通信システムによれば、第８に、複数の階層からなるネットワークにおける任意の一つの階層に属する送信用疑似ランダムパルス発生器および送信用乗算器から、他の階層に属する受信クロック抽出回路部、受信用疑似ランダムパルス発生器および受信用乗算器へ複数種のコード変調信号を伝送することができるので、従来のＡＴＭ交換機を必要としない簡単な回路構成でもって高速通信用のネットワークから低速通信用のネットワークへのコード変調信号のパケット変換を容易に行うことが可能になる。
【０１３４】
さらに、本発明のデータ通信システムによれば、第９に、ネットワークを構成する複数の分岐点において、送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成し、このような複数種の周期的コードを利用したＣＤＭＡ方式によるコード変調を行う場合に、上記複数の分岐点に対し上記複数種の送信用の周期的コードをそれぞれ割り当て、上記分岐点毎に対応する上記周期的コードの内容および位相を予め変えておくようにしているので、従来のＡＴＭ交換機を必要としない簡単な回路構成でもって上記分岐点でのコード変調信号のパケット変換を容易に行うことが可能になる。
【０１３５】
さらに、本発明のデータ通信システムによれば、第１０に、ネットワークを構成する複数の分岐点において、送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成し、このような複数種の周期的コードを利用したＣＤＭＡ方式によるコード変調およびコード復調を行う場合に、上記複数の分岐点中の全ての分岐点または多くの分岐点を通過する共通の周期的コードを割り当てるようにしているので、従来のＡＴＭ交換機を必要としない簡単な回路構成でもって高速通信用のデータから低速通信用のデータまでのさまざまなデータが含まれるようなコード変調およびコード復調を短時間でかつ誤りなく行うことが可能になる。
【０１３６】
さらに、本発明のデータ通信システムによれば、第１１に、複数の分岐点に接続される複数のデータ通信部が一つの中央制御部により制御されるようなネットワークにおいて、上記データ通信部の各々が、送信の対象とする上記複数種のデータにそれぞれ対応する複数種のビットクロックの任意の整数倍の伝送速度を有する複数種の送信クロックに基づき複数種の送信用の周期的コードを生成し、このような周期的コードを利用したＣＤＭＡ方式によるコード変調およびコード復調を行う場合に、上記中央制御部から目的のアドレスを上記複数の分岐点に送付し、上記アドレスと一致したデータ通信部によりデータの送受信を行うようにしているので、上記周期的コード等の変調コードは、適宜または通信途中であっても変更することができると共に、コード長を変更することによって通信速度を変更することもでき、さまざまな通信機器からの通信要求に対し柔軟な対応が可能になる。この場合、短い変調コードが、同時に通信中の長い変調コードの一部分に類似しないようにように選定することでデータ送受信間の同期を短時間で行い、その後の同期の保持を確実なものにすることが可能になる。さらに、この場合、変調コードとして、容易に解読することができない暗号化コードを用いることも可能になる。
【図面の簡単な説明】
【図１】本発明の原理構成を示すブロック図である。
【図２】本発明の第１の実施例の構成を示す回路ブロック図である。
【図３】本発明の第２の実施例の構成を示す回路ブロック図である。
【図４】本発明の第３の実施例の構成を示す回路ブロック図である。
【図５】本発明の第４の実施例の構成を示す回路ブロック図である。
【図６】本発明の第５の実施例の構成を示す回路ブロック図である。
【図７】本発明の第６の実施例の構成を示す回路ブロック図である。
【図８】本発明の実施例における送信部の具体例を示す回路ブロック図である。
【図９】本発明の実施例における受信部の具体例を示す回路ブロック図である。
【図１０】図８および図９の各部の電圧波形を示すタイミングチャートである。
【図１１】本発明の実施例において多重化された信号を送信するための具体例を示す回路図である。
【図１２】本発明の実施例において多重化された信号を受信するための具体例を示す回路図である。
【図１３】本発明の第７の実施例の構成を示す回路ブロック図である。
【図１４】本発明の第８の実施例の構成を示す回路ブロック図である。
【図１５】本発明の第９の実施例の構成を示す回路ブロック図である。
【図１６】本発明の第１０の実施例の構成を示す回路ブロック図である。
【図１７】光を利用した従来のデータ通信システムの概略的構成を示す回路ブロック図である。
【符号の説明】
１…コード変調手段
２…クロック抽出部
３…コード復調手段
４…受信データ同期部
５…データ通信システム
６…データ保持部
７…１／Ｎ分周部
９…ハブ局
１０…第１の拡散コード生成部
１１…第１の乗算部
１２…送信用擬似ランダムパルス発生器（ＰＲＰＧ）
１２ａ…拡散コード保持部
１２ｂ…シフトレジスタ
１３…送信用乗算器
１３ａ…否定的排他論理和ゲート（ＥＮＯＲゲート）
１３ｂ…送信データ保持用Ｄ型フリップフロップ（Ｄ−ＦＦ）
１４…送信用コード発生器
１９…加算部
２０…受信クロック抽出回路部
２１…ＰＬＬ回路部
２２…Ｄ型フリップフロップ
２４…１／Ｎカウンタ
３０…第２の拡散コード生成部
３１…第２の乗算部
３２…受信用擬似ランダムパルス発生器
３２ａ…拡散コード保持部
３２ｂ…シフトレジスタ
３３…受信用乗算器
３３ａ…否定的排他論理和ゲート
３４…受信用コード発生器
４０…受信データ同期回路部
４１…受信データ保持用Ｄ型フリップフロップ
４２…排他論理和ゲート（ＥＯＲゲート）
４３…アキュムレータ
４４…振幅比較部
４５…受信データ遅延用Ｄ型フリップフロップ
４６…ＡＮＤゲート
５０…コード変調／復調回路部
５０−１〜５０−３…第１〜第３の加入者用データ通信部
５２−１〜５２−４…第１〜第４のゲートウェイ
６２…Ｄ型フリップフロップ
７０…Ｍ／Ｎ分周部
７２…１／Ｎカウンタ
８０…擬似ランダムパルス発生器
８１…１／Ｎ分周部
８２…符号反転部
８３…アキュムレータ
８４…同期回路部
８５…加算器
９０…中央交換局
９１−１、９１−２…第１および第２のＡＴＭスイッチ
９２−１、９２−２…第１および第２の加入者用通信装置
【図１】
0003821537.tif 000002
【図２】
0003821537.tif 000003
【図３】
0003821537.tif 000004
【図４】
0003821537.tif 000005
【図５】
0003821537.tif 000006
【図６】
0003821537.tif 000007
【図７】
0003821537.tif 000008
【図８】
0003821537.tif 000009
【図９】
0003821537.tif 000010
【図１０】
0003821537.tif 000011
【図１１】
0003821537.tif 000012
【図１２】
0003821537.tif 000013
【図１３】
0003821537.tif 000014
【図１４】
0003821537.tif 000015
【図１５】
0003821537.tif 000016
【図１６】
0003821537.tif 000017
【図１７】
0003821537.tif 000018